(57)【特許請求の範囲】
【請求項１】
複数のコンポーネントキャリアを支援する無線通信システムにおいてユーザー機器（ＵＥ）によってサウンディング参照シンボル（ＳＲＳ）伝送を制御する方法であって、前記方法は、
サブフレームにおいて第１のタイミングアドバンスグループのサウンディング参照シンボル（ＳＲＳ）がスケジューリングされ、かつ、前記サブフレームにおいて第２のタイミングアドバンスグループのＰＵＣＣＨ（ｐｈｙｓｉｃａｌ  ｕｐｌｉｎｋ  ｃｏｎｔｒｏｌ  ｃｈａｎｎｅｌ）およびＰＵＳＣＨ（ｐｈｙｓｉｃａｌ  ｕｐｌｉｎｋ  ｓｈａｒｅｄ  ｃｈａｎｎｅｌ）がスケジューリングされるときに、
前記サブフレームで前記第２のタイミングアドバンスグループの前記ＰＵＣＣＨおよび前記ＰＵＳＣＨを伝送することと、
前記第１のタイミングアドバンスグループの前記ＳＲＳ伝送が、前記第２のタイミングアドバンスグループの前記ＰＵＣＣＨおよび前記ＰＵＳＣＨの伝送と重なり、かつ、前記ＰＵＣＣＨ、前記ＰＵＳＣＨおよび前記ＳＲＳの同時伝送の場合の前記ＵＥの全伝送パワーが前記ＵＥに対して設定された最大の伝送パワーを超える場合に、前記サブフレームにおける前記第１のタイミングアドバンスグループの前記ＳＲＳの伝送をドロップすることと
を含む、方法。
【請求項２】
前記ＰＵＣＣＨおよび前記ＰＵＳＣＨは、前記第２のタイミングアドバンスグループの同一のコンポーネントキャリア上で伝送される、請求項１に記載の方法。
【請求項３】
前記ＰＵＣＣＨは、前記第２のタイミングアドバンスグループの第１のコンポーネントキャリア上で伝送され、
前記ＰＵＳＣＨは、前記第２のタイミングアドバンスグループの第２のコンポーネントキャリア上で伝送され、前記第１のコンポーネントキャリアは、前記第２のコンポーネントキャリアと異なる、請求項１に記載の方法。
【請求項４】
前記第１のコンポーネントキャリアは、前記第２のタイミングアドバンスグループのプライマリセルに対応する、請求項３に記載の方法。
【請求項５】
前記第２のコンポーネントキャリアは、前記第２のタイミングアドバンスグループのセカンダリセルに対応する、請求項３に記載の方法。
【請求項６】
前記ＰＵＣＣＨは、前記第１のコンポーネントキャリアおよび前記第２のコンポーネントキャリアに関連するＨＡＲＱ  ＡＣＫ／ＮＡＣＫ信号を含む、請求項３に記載の方法。
【請求項７】
複数のコンポーネントキャリアを支援する無線通信システムにおいてサウンディング参照シンボル（ＳＲＳ）伝送を制御するユーザー機器（ＵＥ）であって、前記ＵＥは、
送信器と、
プロセッサと
を含み、
サブフレームにおいて第１のタイミングアドバンスグループのサウンディング参照シンボル（ＳＲＳ）がスケジューリングされ、かつ、前記サブフレームにおいて第２のタイミングアドバンスグループのＰＵＣＣＨ（ｐｈｙｓｉｃａｌ  ｕｐｌｉｎｋ  ｃｏｎｔｒｏｌ  ｃｈａｎｎｅｌ）およびＰＵＳＣＨ（ｐｈｙｓｉｃａｌ  ｕｐｌｉｎｋ  ｓｈａｒｅｄ  ｃｈａｎｎｅｌ）がスケジューリングされるときに、
前記プロセッサは、前記サブフレームで前記第２のタイミングアドバンスグループの前記ＰＵＣＣＨおよび前記ＰＵＳＣＨを伝送するように前記送信器を制御するように構成されており、
前記プロセッサは、さらに、前記第１のタイミングアドバンスグループの前記ＳＲＳ伝送が、前記第２のタイミングアドバンスグループの前記ＰＵＣＣＨおよび前記ＰＵＳＣＨの伝送と重なり、かつ、前記ＰＵＣＣＨ、前記ＰＵＳＣＨおよび前記ＳＲＳの同時伝送の場合の前記ＵＥの全伝送パワーが前記ＵＥに対して設定された最大の伝送パワーを超える場合に、前記サブフレームにおける前記第１のタイミングアドバンスグループの前記ＳＲＳの伝送をドロップするように構成されている、ＵＥ。
【請求項８】
前記ＰＵＣＣＨおよび前記ＰＵＳＣＨは、前記第２のタイミングアドバンスグループの同一のコンポーネントキャリア上で伝送される、請求項７に記載のＵＥ。
【請求項９】
前記ＰＵＣＣＨは、前記第２のタイミングアドバンスグループの第１のコンポーネントキャリア上で伝送され、
前記ＰＵＳＣＨは、前記第２のタイミングアドバンスグループの第２のコンポーネントキャリア上で伝送され、前記第１のコンポーネントキャリアは、前記第２のコンポーネントキャリアと異なる、請求項７に記載のＵＥ。
【請求項１０】
前記第１のコンポーネントキャリアは、前記第２のタイミングアドバンスグループのプライマリセルに対応する、請求項７に記載のＵＥ。
【請求項１１】
前記第２のコンポーネントキャリアは、前記第２のタイミングアドバンスグループのセカンダリセルに対応する、請求項７に記載のＵＥ。
【請求項１２】
前記ＰＵＣＣＨは、前記第１のコンポーネントキャリアおよび前記第２のコンポーネントキャリアに関連するＨＡＲＱ  ＡＣＫ／ＮＡＣＫ信号を含む、請求項９に記載のＵＥ。
【発明の詳細な説明】
【技術分野】
【０００１】
本発明は、無線通信に係り、特に、無線通信システムにおいて端末のサウンディング参照信号伝送決定方法及びそのための端末に関する。
【背景技術】
【０００２】
次世代移動通信システムの標準であるＬＴＥ−Ａシステムでは、データ転送率の向上のために、既存標準では支援されていなかったＣｏＭＰ（Ｃｏｏｒｄｉｎａｔｅｄ  Ｍｕｌｔｉ  Ｐｏｉｎｔ）方式、ＭＵ−ＭＩＭＯ（Ｍｕｌｔｉ  Ｕｓｅｒ−ＭＩＭＯ）方式を支援すると予想される。ここで、ＣｏＭＰシステムとは、陰影地域にある端末及び基地局（セルまたはセクター）間の通信性能を向上させるために、２個以上の基地局或いはセルが互いに協調して端末と通信するシステムのことを指す。ＣｏＭＰ方式は、データ共有を用いた協調的ＭＩＭＯ形態のジョイントプロセシング（ＣｏＭＰ−ＪＰ：ＣｏＭＰ−Ｊｏｉｎｔ  Ｐｒｏｃｅｓｓｉｎｇ）と協調スケジューリング／ビームフォーミング（ＣｏＭＰ−ＣＳ：ＣｏＭＰ−Ｃｏｏｒｄｉｎａｔｅｄ  Ｓｃｈｅｄｕｌｉｎｇ／ｂｅａｍｆｏｒｍｉｎｇ）方式とに区別可能である。ジョイントプロセシング（ＣｏＭＰ−ＪＰ）方式において、端末は、ＣｏＭＰを行う各基地局からデータを瞬間的に同時に受信し、各基地局から受信した信号を結合することによって受信性能を向上させることができる。これと違い、協調スケジューリング／ビームフォーミング方式（ＣｏＭＰ−ＣＳ）において、端末はビームフォーミングを用いてデータを瞬間的に一つの基地局から受信可能である。ＭＵ−ＭＩＭＯ技術は、基地局が各アンテナリソースを別々の端末に割り当てるもので、アンテナ別に高速データ転送率が得られる端末を選択してスケジューリングする方式である。このようなＭＵ−ＭＩＭＯ方式は、システム処理率（ｓｙｓｔｅｍ  ｔｈｒｏｕｇｈｐｕｔ）を向上させる技術である。
【０００３】
また、次世代ＬＴＥ−Ａシステムでは大量のデータ伝送が可能となるように設計している。ＬＴＥ−Ａシステムは、キャリアアグリゲーション（Ｃａｒｒｉｅｒ  Ａｇｇｒｅｇａｔｉｏｎ、ＣＡ）（又は、搬送波併合）技術を採用し、複数個のコンポーネントキャリア（Ｃｏｍｐｏｎｅｎｔ  Ｃａｒｒｉｅｒ、ＣＣ）をアグリゲーションして伝送を実行することで、端末の伝送帯域幅を向上させ、周波数の使用効率を増加させる。ＬＴＥ−Ａシステムは、既存のＬＴＥ  Ｒｅｌ−８／９で使われた単一キャリア（ｓｉｎｇｌｅ  ｃａｒｒｉｅｒ）を、１つではなく複数のキャリア（すなわち、マルチキャリア）を同時に束ねて使用することで、１００ＭＨｚまで帯域幅を拡張可能となる。言い換えると、既存のＬＴＥＬＴＥ  Ｒｅｌ−８／９において最大２０ＭＨｚまで定義されていたキャリアをコンポーネントキャリア（或いは、要素キャリア）と再定義し、キャリアアグリゲーション技術を用いて最大５個のコンポーネントキャリア（ＣＣ）を１つの端末が使用できるようにした。
【０００４】
このようなＣＡ技法が導入され、且つ複数のＴＡ（ｔｉｍｉｎｇ  ａｄｖａｃｎｅ）グループが存在する状況においてＰＵＳＣＨ、ＰＲＡＣＨ、ＰＵＣＣＨ、ＳＲＳを同時に複数のＴＡグループで伝送する場合に、ＳＲＳを伝送するかドロップするかを決定する方法については未だ提案されたことがない。
【発明の概要】
【発明が解決しようとする課題】
【０００５】
本発明で達成しようとする技術的課題は、無線通信システムにおいて端末のサウンディング参照信号（Ｓｏｕｎｄｉｎｇ  Ｒｅｆｅｒｅｎｃｅ  Ｓｉｇｎａｌ、ＳＲＳ）伝送決定方法を提供することである。
【０００６】
本発明で達成しようとする他の技術的課題は、無線通信システムにおいてサウンディング参照信号（Ｓｏｕｎｄｉｎｇ  Ｒｅｆｅｒｅｎｃｅ  Ｓｉｇｎａｌ、ＳＲＳ）伝送決定を行う端末を提供することである。
【０００７】
本発明が達成しようとする技術的課題は、以上に言及した事項に制限されず、言及していない別の技術的課題は、以下に説明する本発明の実施例から、本発明の属する技術の分野における通常の知識を有する者にとって考慮されるだろう。
【課題を解決するための手段】
【０００８】
上記の技術的課題を達成するための、無線通信システムにおける端末のサウンディング参照信号（Ｓｏｕｎｄｉｎｇ  Ｒｅｆｅｒｅｎｃｅ  Ｓｉｇｎａｌ、ＳＲＳ）伝送決定方法は、第１タイミングアドバンス（Ｔｉｍｉｎｇ  Ａｄｖａｎｃｅ、ＴＡ）グループのセルにおけるＰＵＣＣＨ又はＰＵＳＣＨの伝送タイミングと、第２ＴＡグループのセルにおけるＳＲＳの伝送タイミングとが同一のサブフレーム内で重なる場合に、前記同一のサブフレームで、前記第１ＴＡグループでＰＵＣＣＨ（Ｐｈｙｓｉｃａｌ  Ｕｐｌｉｎｋ  Ｃｏｎｔｒｏｌ  ＣＨａｎｎｅｌ）又はＰＵＳＣＨ（Ｐｈｙｓｉｃａｌ  Ｕｐｌｉｎｋ  Ｓｈａｒｅｄ  ＣＨａｎｎｅｌ）を伝送するか、又は前記第２ＴＡグループでＳＲＳを伝送するかを決定すること、を含むことを特徴とする。
【０００９】
前記第１ＴＡグループのセルにおけるＰＵＣＣＨ伝送タイミングと前記第２ＴＡグループのセルにおけるＳＲＳの伝送タイミングとが同一のサブフレーム内で重なる場合に、前記第１及び第２ＴＡグループ間にタイミング差がシンボルレベルで合うと、前記重なるシンボルをパンクチャリングしたり又は空にし、前記第２ＴＡグループでＳＲＳを伝送することを決定してもよい。
【００１０】
前記第１ＴＡグループのセルにおけるＰＵＣＣＨ伝送タイミングと前記第２ＴＡグループのセルにおけるＳＲＳの伝送タイミングとが同一のサブフレーム内で重なる場合に、前記第１及び第２ＴＡグループ間にタイミング差がシンボルレベルで合わないか、前記ＰＵＣＣＨに該当するシンボルが参照信号を含んでいるか、又は前記ＰＵＣＣＨが縮小されたフォーマット（ｓｈｏｒｔｅｎｅｄ  ｆｏｒｍａｔ）であると、前記ＳＲＳ伝送をドロップ（ｄｒｏｐ）することを決定してもよい。
【００１１】
前記第１ＴＡグループのセルにおけるＰＵＳＣＨ伝送タイミングと前記第２ＴＡグループのセルにおけるＳＲＳの伝送タイミングとが同一のサブフレーム内で重なる場合に、前記第１及び第２ＴＡグループ間にタイミング差がシンボルレベルで合わないか、前記ＰＵＣＣＨに該当するシンボルが参照信号を含んでいるか、又は前記ＰＵＳＣＨがレート−マッチ（ｒａｔｅ−ｍａｔｃｈ）ＰＵＳＣＨであると、前記ＳＲＳ伝送をドロップすることを決定してもよい。
【００１２】
上記他の技術的課題を達成するための、無線通信システムにおいてサウンディング参照信号（Ｓｏｕｎｄｉｎｇ  Ｒｅｆｅｒｅｎｃｅ  Ｓｉｇｎａｌ、ＳＲＳ）伝送決定をするための端末は、第１タイミングアドバンス（Ｔｉｍｉｎｇ  Ａｄｖａｎｃｅ、ＴＡ）グループのセルにおけるＰＵＣＣＨ又はＰＵＳＣＨの伝送タイミングと第２ＴＡグループのセルにおけるＳＲＳの伝送タイミングとが同一のサブフレーム内で重なる場合に、前記同一のサブフレームで、前記第１ＴＡグループでＰＵＣＣＨ（Ｐｈｙｓｉｃａｌ  Ｕｐｌｉｎｋ  Ｃｏｎｔｒｏｌ  ＣＨａｎｎｅｌ）又はＰＵＳＣＨ（Ｐｈｙｓｉｃａｌ  Ｕｐｌｉｎｋ  Ｓｈａｒｅｄ  ＣＨａｎｎｅｌ）を伝送するか、又は前記第２ＴＡグループでＳＲＳを伝送するかを決定するプロセッサを備えていることを特徴とする。
【００１３】
前記第１ＴＡグループのセルにおけるＰＵＣＣＨ伝送タイミングと前記第２ＴＡグループのセルにおけるＳＲＳの伝送タイミングとが同一のサブフレーム内で重なる場合に、前記プロセッサは、前記第１及び第２ＴＡグループ間にタイミング差がシンボルレベルで合うと、前記重なるシンボルをパンクチャリングしたり又は空にし、前記第２ＴＡグループでＳＲＳを伝送することを決定してもよい。
【００１４】
前記第１ＴＡグループのセルにおけるＰＵＣＣＨ伝送タイミングと前記第２ＴＡグループのセルにおけるＳＲＳの伝送タイミングとが同一のサブフレーム内で重なる場合に、前記プロセッサは、前記第１及び第２ＴＡグループ間にタイミング差がシンボルレベルで合わないか、前記ＰＵＣＣＨに該当するシンボルが参照信号を含んでいるか、又は前記ＰＵＣＣＨが縮小されたフォーマット（ｓｈｏｒｔｅｎｅｄ  ｆｏｒｍａｔ）であると、前記ＳＲＳ伝送をドロップ（ｄｒｏｐ）することを決定してもよい。
【００１５】
前記第１ＴＡグループのセルにおけるＰＵＳＣＨ伝送タイミングと前記第２ＴＡグループのセルにおけるＳＲＳの伝送タイミングとが同一のサブフレーム内で重なる場合に、前記プロセッサは、前記第１及び第２ＴＡグループ間にタイミング差がシンボルレベルで合わないか、前記ＰＵＣＣＨに該当するシンボルが参照信号を含んでいるか、又は前記ＰＵＳＣＨがレート−マッチ（ｒａｔｅ−ｍａｔｃｈ）ＰＵＳＣＨであると、前記ＳＲＳ伝送をドロップすることを決定してもよい。
本願明細書は、例えば、以下の項目も提供する。
（項目１）
無線通信システムにおいて端末のサウンディング参照信号（Ｓｏｕｎｄｉｎｇ  Ｒｅｆｅｒｅｎｃｅ  Ｓｉｇｎａｌ、ＳＲＳ）伝送決定をする方法であって、
第１タイミングアドバンス（Ｔｉｍｉｎｇ  Ａｄｖａｎｃｅ、ＴＡ）グループのセルにおけるＰＵＣＣＨ又はＰＵＳＣＨの伝送タイミングと、第２ＴＡグループのセルにおけるＳＲＳの伝送タイミングとが同一のサブフレーム内で重なる場合に、
前記同一のサブフレームで、前記第１ＴＡグループでＰＵＣＣＨ（Ｐｈｙｓｉｃａｌ  Ｕｐｌｉｎｋ  Ｃｏｎｔｒｏｌ  ＣＨａｎｎｅｌ）又はＰＵＳＣＨ（Ｐｈｙｓｉｃａｌ  Ｕｐｌｉｎｋ  Ｓｈａｒｅｄ  ＣＨａｎｎｅｌ）を伝送するか、又は前記第２ＴＡグループでＳＲＳを伝送するかを決定すること、を含む、ＳＲＳ伝送決定方法。
（項目２）
前記第１ＴＡグループのセルにおけるＰＵＣＣＨ伝送タイミングと前記第２ＴＡグループのセルにおけるＳＲＳの伝送タイミングとが同一のサブフレーム内で重なる場合に、
前記第１及び第２ＴＡグループ間にタイミング差がシンボルレベルで合うと、前記重なるシンボルをパンクチャリングしたり又は空にし、前記第２ＴＡグループでＳＲＳを伝送することを決定する、項目１に記載のＳＲＳ伝送決定方法。
（項目３）
前記第１ＴＡグループのセルにおけるＰＵＣＣＨ伝送タイミングと前記第２ＴＡグループのセルにおけるＳＲＳの伝送タイミングとが同一のサブフレーム内で重なる場合に、
前記第１及び第２ＴＡグループ間にタイミング差がシンボルレベルで合わないか、前記ＰＵＣＣＨに該当するシンボルが参照信号を含んでいるか、又は前記ＰＵＣＣＨが縮小されたフォーマット（ｓｈｏｒｔｅｎｅｄ  ｆｏｒｍａｔ）であると、前記ＳＲＳ伝送をドロップ（ｄｒｏｐ）することを決定する、項目１に記載のＳＲＳ伝送決定方法。
（項目４）
前記第１ＴＡグループのセルにおけるＰＵＳＣＨ伝送タイミングと前記第２ＴＡグループのセルにおけるＳＲＳの伝送タイミングとが同一のサブフレーム内で重なる場合に、
前記第１及び第２ＴＡグループ間にタイミング差がシンボルレベルで合わないか、前記ＰＵＣＣＨに該当するシンボルが参照信号を含んでいるか、又は前記ＰＵＳＣＨがレート−マッチ（ｒａｔｅ−ｍａｔｃｈ）ＰＵＳＣＨであると、前記ＳＲＳ伝送をドロップすることを決定する、項目１に記載のＳＲＳ伝送決定方法。
（項目５）
無線通信システムにおいてサウンディング参照信号（Ｓｏｕｎｄｉｎｇ  Ｒｅｆｅｒｅｎｃｅ  Ｓｉｇｎａｌ、ＳＲＳ）伝送決定をするための端末であって、
第１タイミングアドバンス（Ｔｉｍｉｎｇ  Ａｄｖａｎｃｅ、ＴＡ）グループのセルにおけるＰＵＣＣＨ又はＰＵＳＣＨの伝送タイミングと第２ＴＡグループのセルにおけるＳＲＳの伝送タイミングとが同一のサブフレーム内で重なる場合に、
前記同一のサブフレームで、前記第１ＴＡグループでＰＵＣＣＨ（Ｐｈｙｓｉｃａｌ  Ｕｐｌｉｎｋ  Ｃｏｎｔｒｏｌ  ＣＨａｎｎｅｌ）又はＰＵＳＣＨ（Ｐｈｙｓｉｃａｌ  Ｕｐｌｉｎｋ  Ｓｈａｒｅｄ  ＣＨａｎｎｅｌ）を伝送するか、又は前記第２ＴＡグループでＳＲＳを伝送するかを決定するプロセッサを備えている、端末。
（項目６）
前記第１ＴＡグループのセルにおけるＰＵＣＣＨ伝送タイミングと前記第２ＴＡグループのセルにおけるＳＲＳの伝送タイミングとが同一のサブフレーム内で重なる場合に、
前記プロセッサは、前記第１及び第２ＴＡグループ間にタイミング差がシンボルレベルで合うと、前記重なるシンボルをパンクチャリングしたり又は空にし、前記第２ＴＡグループでＳＲＳを伝送することを決定する、項目５に記載の端末。
（項目７）
前記第１ＴＡグループのセルにおけるＰＵＣＣＨ伝送タイミングと前記第２ＴＡグループのセルにおけるＳＲＳの伝送タイミングとが同一のサブフレーム内で重なる場合に、
前記プロセッサは、前記第１及び第２ＴＡグループ間にタイミング差がシンボルレベルで合わないか、前記ＰＵＣＣＨに該当するシンボルが参照信号を含んでいるか、又は前記ＰＵＣＣＨが縮小されたフォーマット（ｓｈｏｒｔｅｎｅｄ  ｆｏｒｍａｔ）であると、前記ＳＲＳ伝送をドロップ（ｄｒｏｐ）することを決定する、項目５に記載の端末。
（項目８）
前記第１ＴＡグループのセルにおけるＰＵＳＣＨ伝送タイミングと前記第２ＴＡグループのセルにおけるＳＲＳの伝送タイミングとが同一のサブフレーム内で重なる場合に、
前記プロセッサは、前記第１及び第２ＴＡグループ間にタイミング差がシンボルレベルで合わないか、前記ＰＵＣＣＨに該当するシンボルが参照信号を含んでいるか、又は前記ＰＵＳＣＨがレート−マッチ（ｒａｔｅ−ｍａｔｃｈ）ＰＵＳＣＨであると、前記ＳＲＳ伝送をドロップすることを決定する、項目５に記載の端末。
【発明の効果】
【００１６】
本発明の様々な実施例によれば、ＳＲＳを適宜ドロップ（ｄｒｏｐ）することで、端末のパワーを效率的に運営し、結果として通信性能を向上させることが可能になる。
【００１７】
本発明で得られる効果は以上で言及した効果に制限されず、言及していない別の効果は、下の記載から、本発明の属する技術の分野における通常の知識を有する者には明らかに理解されるであろう。
【図面の簡単な説明】
【００１８】
本発明に関する理解を助けるために詳細な説明の一部として含まれ、本発明の様々な実施例を提供し、且つ、詳細な説明と共に本発明の実施形態を説明するために用いられる、添付の図面は、下記の通りである。
【図１】図１は、無線通信システム１００における基地局１０５及び端末１１０の構成を示すブロック図である。
【図２Ａ】図２Ａは、無線通信システムの一例である３ＧＰＰ  ＬＴＥシステムで用いられる無線フレームの構造を例示する図である。
【図２Ｂ】図２Ｂは、無線通信システムの一例である３ＧＰＰ  ＬＴＥシステムで用いられるタイプ２フレーム構造（ｆｒａｍｅ  ｓｔｒｕｃｔｕｒｅ  ｔｙｐｅ  ２）を示す図である。
【図３Ａ】図３Ａ及び図３Ｂは、移動通信システムの一例である３ＧＰＰ  ＬＴＥシステムのダウンリンク及びアップリンクサブフレームの構造を示す図である。
【図３Ｂ】図３Ａ及び図３Ｂは、移動通信システムの一例である３ＧＰＰ  ＬＴＥシステムのダウンリンク及びアップリンクサブフレームの構造を示す図である。
【図４】図４は、３ＧＰＰ  ＬＴＥシステムにおいてダウンリンクの時間−周波数リソース格子構造（ｒｅｓｏｕｒｃｅ  ｇｒｉｄ  ｓｔｒｕｃｔｕｒｅ）を示す図である。
【図５】図５は、３ＧＰＰ  ＬＴＥシステムにおける、ＳＲＳシンボルを含むアップリンクサブフレーム構成の一例を示す図である。
【図６】図６は、ＣＡ状況で２個のＴＡを適用した場合にＳＲＳを伝送する方法を説明するための例示図である。
【発明を実施するための形態】
【００１９】
以下、本発明の好適な実施形態を、添付の図面を参照して詳細に説明する。添付の図面と共に以下に開示される詳細な説明は、本発明の例示的な実施形態を説明するためのもので、本発明が実施され得る唯一の実施形態を示すためのものではない。以下の詳細な説明は、本発明の完全な理解を提供するために具体的な細部事項を含む。しかし、このような具体的な細部事項なしにも本発明の実施が可能であるということが当業者には理解される。例えば、以下の詳細な説明は、移動通信システムが３ＧＰＰ  ＬＴＥ、ＬＴＥ−Ａシステムである場合を取り上げて具体的に説明するが、３ＧＰＰ  ＬＴＥ、ＬＴＥ−Ａシステム特有の事項以外は、他の任意の無線通信システムにも同様の適用が可能である。
【００２０】
場合によって、本発明の概念が曖昧になることを避けるために、公知の構造及び装置が省略されたり、各構造及び装置の核心機能を中心にしたブロック図の形式で図示されたりすることもある。また、本明細書全体を通じて同一の構成要素には同一の図面符号を付して説明する。
【００２１】
なお、以下の説明において、端末は、ＵＥ（Ｕｓｅｒ  Ｅｑｕｉｐｍｅｎｔ）、ＭＳ（Ｍｏｂｉｌｅ  Ｓｔａｔｉｏｎ）、ＡＭＳ（Ａｄｖａｎｃｅｄ  Ｍｏｂｉｌｅ  Ｓｔａｔｉｏｎ）、Ｍ２Ｍ（Ｍａｃｈｉｎｅ  Ｔｏ  Ｍａｃｈｉｎｅ）機器などを含め、移動または固定型のユーザー端の機器を総称するとする。また、基地局は、Ｎｏｄｅ  Ｂ、ｅＮｏｄｅ  Ｂ、ＢＳ（Ｂａｓｅ  Ｓｔａｔｉｏｎ）、ＡＰ（Ａｃｃｅｓｓ  Ｐｏｉｎｔ）などを含め、端末と通信するネットワーク端の任意のノードを総称するとする。本明細書では、基地局はセル、セクターなどを含む概念として使われてもよい。
【００２２】
移動通信システムにおいて、端末（Ｕｓｅｒ  Ｅｑｕｉｐｍｅｎｔ）は、基地局からダウンリンク（Ｄｏｗｎｌｉｎｋ）で情報を受信でき、基地局にアップリンク（Ｕｐｌｉｎｋ）で情報を送信できる。端末が送信または受信する情報には、データ及び様々な制御情報があり、端末が送信または受信する情報の種類・用途によって様々な物理チャネルが存在する。
【００２３】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような様々な無線接続システムに使用可能である。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）で具現されている。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）のような無線技術で具現されている。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（Ｅｖｏｌｖｅｄ  ＵＴＲＡ）などのような無線技術で具現されている。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）  ＬＴＥ（ｌｏｎｇｔｅｒｍ  ｅｖｏｌｕｔｉｏｎ）は、Ｅ−ＵＴＲＡを用いるＥ−ＵＭＴＳ（Ｅｖｏｌｖｅｄ  ＵＭＴＳ）の一部であり、ダウンリンクでＯＦＤＭＡを採用し、アップリンクでＳＣ−ＦＤＭＡを採用する。ＬＴＥ−Ａ（Ａｄｖａｎｃｅｄ）は、３ＧＰＰ  ＬＴＥの進展したバージョンである。
【００２４】
説明を明確するために、以下では、３ＧＰＰ  ＬＴＥ／ＬＴＥ−Ａを中心にして記述するが、本発明の技術的思想がこれに制限されるものではない。また、以下の説明で使われる特定用語は本発明の理解を助けるために提供されたものであり、このような特定用語の使用は、本発明の技術的思想から逸脱しない範囲で他の形態に変更されてもよい。
【００２５】
図１は、無線通信システム１００において基地局１０５及び端末１１０の構成を示すブロック図である。
【００２６】
無線通信システム１００を簡略に表すために一つの基地局１０５と一つの端末１１０を示しているが、無線通信システム１００は、一つ以上の基地局及び／又は一つ以上の端末を含む。
【００２７】
図１を参照すると、基地局１０５は、送信（Ｔｘ）データプロセッサ１１５、シンボル変調器１２０、送信器１２５、送受信アンテナ１３０、プロセッサ１８０、メモリー１８５、受信器１９０、シンボル復調器１９５、受信データプロセッサ１９７を備えている。そして、端末１１０は、送信（Ｔｘ）データプロセッサ１６５、シンボル変調器１７５、送信器１７５、送受信アンテナ１３５、プロセッサ１５５、メモリー１６０、受信器１４０、シンボル復調器１５５、受信データプロセッサ１５０を備えている。送受信アンテナ１３０，１３５がそれぞれ基地局１０５及び端末１１０において１個のみ示されているが、基地局１０５及び端末１１０は複数個の送受信アンテナを備えている。したがって、本発明に係る基地局１０５及び端末１１０は、ＭＩＭＯ（Ｍｕｌｔｉｐｌｅ  Ｉｎｐｕｔ  Ｍｕｌｔｉｐｌｅ  Ｏｕｔｐｕｔ）システムを支援する。また、本発明に係る基地局１０５は、ＳＵ−ＭＩＭＯ（Ｓｉｎｇｌｅ  Ｕｓｅｒ−ＭＩＭＯ）も、ＭＵ−ＭＩＭＯ（Ｍｕｌｔｉ  Ｕｓｅｒ−ＭＩＭＯ）方式も支援可能である。
【００２８】
ダウンリンク上で、送信データプロセッサ１１５は、トラフィックデータを受信し、受信したトラフィックデータをフォーマットしてコーディングし、コーディングされたトラフィックデータをインタリービングし変調して（又は、シンボルマッピングして）変調シンボル（「データシンボル」）を提供する。シンボル変調器１２０は、これらのデータシンボルとパイロットシンボルを受信及び処理し、これらシンボルのストリームを提供する。
【００２９】
シンボル変調器１２０は、データ及びパイロットシンボルを多重化し、それを送信器１２５に伝送する。この時、それぞれの送信シンボルは、データシンボル、パイロットシンボル、又はゼロの信号値であってもよい。それぞれのシンボル周期において、パイロットシンボルが連続して送信されてもよい。パイロットシンボルは、周波数分割多重化（ＦＤＭ）、直交周波数分割多重化（ＯＦＤＭ）、時分割多重化（ＴＤＭ）、又はコード分割多重化（ＣＤＭ）シンボルであってよい。
【００３０】
送信器１２５は、シンボルのストリームを受信してそれを一つ以上のアナログ信号に変換し、また、このアナログ信号をさらに調節し（例えば、増幅、フィルタリング、及び周波数アップコンバーティング（ｕｐｃｏｎｖｅｒｔｉｎｇ）し）、無線チャネルによる送信に適したダウンリンク信号を発生させる。すると、送信アンテナ１３０は、発生したダウンリンク信号を端末に伝送する。
【００３１】
端末１１０の構成において、受信アンテナ１３５は、基地局からのダウンリンク信号を受信し、受信した信号を受信器１４０に提供する。受信器１４０は、受信した信号を調整し（例えば、フィルタリング、増幅、及び周波数ダウンコンバーティング（ｄｏｗｎｃｏｎｖｅｒｔｉｎｇ）し）、調整された信号をデジタル化してサンプルを獲得する。シンボル復調器１４５は、受信したパイロットシンボルを復調し、これをチャネル推定のためにプロセッサ１５５に提供する。
【００３２】
また、シンボル復調器１４５は、プロセッサ１５５からダウンリンクに対する周波数応答推定値を受信し、受信したデータシンボルにデータ復調を行うことで（送信したデータシンボルの推定値である）データシンボル推定値を獲得し、データシンボル推定値を受信（Ｒｘ）データプロセッサ１５０に提供する。受信データプロセッサ１５０は、データシンボル推定値を復調（すなわち、シンボルデ−マッピング（ｄｅｍａｐｐｉｎｇ））し、デインタリービング（ｄｅｉｎｔｅｒｌｅａｖｉｎｇ）し、デコーディングすることで、伝送されたトラフィックデータを復旧する。
【００３３】
シンボル復調器１４５及び受信データプロセッサ１５０による処理はそれぞれ、基地局１０５におけるシンボル変調器１２０及び送信データプロセッサ１１５による処理に相補的である。
【００３４】
端末１１０は、アップリンク上で、送信データプロセッサ１６５がトラフィックデータを処理してデータシンボルを提供する。シンボル変調器１７０は、データシンボルを受信して多重化し変調を行って、シンボルのストリームを送信器１７５に提供する。送信器１７５は、シンボルのストリームを受信及び処理してアップリンク信号を生成する。そして、送信アンテナ１３５は、生成されたアップリンク信号を基地局１０５に伝送する。
【００３５】
基地局１０５において、端末１１０からアップリンク信号が受信アンテナ１３０を介して受信され、受信器１９０は、受信したアップリンク信号を処理してサンプルを獲得する。続いて、シンボル復調器１９５はこれらのサンプルを処理し、アップリンクで受信したパイロットシンボル及びデータシンボル推定値を提供する。受信データプロセッサ１９７は、データシンボル推定値を処理することで、端末１１０から伝送されたトラフィックデータを復旧する。
【００３６】
端末１１０及び基地局１０５のそれぞれのプロセッサ１５５，１８０はそれぞれ、端末１１０及び基地局１０５における動作を指示（例えば、制御、調整、管理など）する。それぞれのプロセッサ１５５，１８０は、プログラムコード及びデータを保存するメモリーユニット１６０，１８５に接続可能である。メモリー１６０，１８５は、プロセッサ１８０に接続してオペレーティングシステム、アプリケーション、及び一般ファイル（ｇｅｎｅｒａｌ  ｆｉｌｅｓ）を保存する。
【００３７】
プロセッサ１５５，１８０は、コントローラ（ｃｏｎｔｒｏｌｌｅｒ）、マイクロコントローラ（ｍｉｃｒｏｃｏｎｔｒｏｌｌｅｒ）、マイクロプロセッサ（ｍｉｃｒｏｐｒｏｃｅｓｓｏｒ）、マイクロコンピュータ（ｍｉｃｒｏｃｏｍｐｕｔｅｒ）などと呼ばれてもよい。一方、プロセッサ１５５，１８０は、ハードウェア（ｈａｒｄｗａｒｅ）、ファームウェア（ｆｉｒｍｗａｒｅ）、ソフトウェア、又はこれらの結合により具現可能である。ハードウェアを用いて本発明の実施例を具現する場合には、本発明を行うように構成されたＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）などがプロセッサ１５５，１８０に備えられるとよい。
【００３８】
一方、ファームウェアやソフトウェアを用いて本発明の実施例を具現する場合には、本発明の機能又は動作を行うモジュール、手順又は関数などを含むようにファームウェアやソフトウェアが構成されるとよく、本発明を実行できるように構成されたファームウェア又はソフトウェアは、プロセッサ１５５，１８０内に備えられてもよく、メモリー１６０，１８５に保存されてプロセッサ１５５，１８０により駆動されてもよい。
【００３９】
端末及び基地局と無線通信システム（ネットワーク）との無線インタフェースプロトコルのレイヤーは、通信システムで周知であるＯＳＩ（ｏｐｅｎ  ｓｙｓｔｅｍ  ｉｎｔｅｒｃｏｎｎｅｃｔｉｏｎ）モデルにおける下位の３レイヤーに基づき、第１レイヤー（Ｌ１）、第２レイヤー（Ｌ２）及び第３レイヤー（Ｌ３）に分類可能である。物理レイヤーは第１レイヤーに属し、物理チャネルを介して情報伝送サービスを提供する。ＲＲＣ（Ｒａｄｉｏ  Ｒｅｓｏｕｒｃｅ  Ｃｏｎｔｒｏｌ）レイヤーは、第３レイヤーに属し、ＵＥ及びネットワーク間の制御無線リソースを提供する。端末、基地局は無線通信ネットワークとＲＲＣレイヤーを介してＲＲＣメッセージを交換できる。
【００４０】
図２Ａは、無線通信システムの一例である３ＧＰＰ  ＬＴＥシステムで用いられる無線フレームの構造を例示する図である。
【００４１】
図２Ａを参照すると、１個の無線フレーム（ｒａｄｉｏ  ｆｒａｍｅ）は１０ｍｓ（３２７２００Ｔｓ）の長さを有し、１０個の均等なサイズのサブフレーム（ｓｕｂｆｒａｍｅ）で構成されている。それぞれのサブフレームは、１ｍｓの長さを有し、２個のスロット（ｓｌｏｔ）で構成されている。それぞれのスロットは、０．５ｍｓ（１５３６０Ｔｓ）の長さを有する。ここで、Ｔｓは、サンプリング時間を表し、Ｔｓ＝１／（１５ｋＨｚ×２０４８）＝３．２５５２×１０−８（約３３ｎｓ）で表示される。スロットは、時間領域で複数のＯＦＤＭシンボル又はＳＣ−ＦＤＭＡシンボルを含み、周波数領域で複数のリソースブロック（Ｒｅｓｏｕｒｃｅ  Ｂｌｏｃｋ）を含む。
【００４２】
ＬＴＥシステムにおいて１個のリソースブロック（Ｒｅｓｏｕｒｃｅ  Ｂｌｏｃｋ、ＲＢ）は、１２個の副搬送波×７（６）個のＯＦＤＭシンボル又はＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）シンボルを含む。データの伝送される単位時間であるＴＴＩ（Ｔｒａｎｓｍｉｓｓｉｏｎ  Ｔｉｍｅ  Ｉｎｔｅｒｖａｌ）は、１つ以上のサブフレーム単位に定められるとよい。上述した無線フレームの構造は例示に過ぎず、無線フレームに含まれるサブフレームの数、サブフレームに含まれるスロットの数、又はスロットに含まれるＯＦＤＭシンボル又はＳＣ−ＦＤＭＡシンボルの数は様々に変更されてもよい。
【００４３】
図２Ｂは、無線通信システムの一例である３ＧＰＰ  ＬＴＥシステムで用いられるタイプ２フレーム構造（ｆｒａｍｅ  ｓｔｒｕｃｔｕｒｅ  ｔｙｐｅ  ２）を示す図である。
【００４４】
図２Ｂを参照すると、タイプ２フレーム構造はＴＤＤに適用される。図２Ａと同様に、１個の無線フレーム（ｒａｄｉｏ  ｆｒａｍｅ）は、１０ｍｓ（３２７２００Ｔｓ）の長さを有し、１０個の均等なサイズのサブフレーム（ｓｕｂｆｒａｍｅ）で構成されている。それぞれのサブフレームは、１ｍｓの長さを有し、２個のスロット（ｓｌｏｔ）で構成されている。それぞれのスロットは、０．５ｍｓ（１５３６０Ｔｓ）の長さを有する。ここで、Ｔｓは、サンプリング時間を表し、Ｔｓ＝１／（１５ｋＨｚ×２０４８）＝３．２５５２×１０−８（約３３ｎｓ）で表示される。
【００４５】
各ハーフフレームは５個のサブフレームを含んでおり、「Ｄ」で表示されたサブフレームはダウンリンク伝送のためのサブフレームであり、「Ｕ」で表示されたサブフレームはアップリンク伝送のためのサブフレームであり、「Ｓ」で表示されたサブフレームは、ＤｗＰＴＳ（Ｄｏｗｎｌｉｎｋ  Ｐｉｌｏｔ  ＴｉｍｅＳｌｏｔ）、保護区間（Ｇｕａｒｄ  Ｐｅｒｉｏｄ、ＧＰ）、ＵｐＰＴＳ（Ｕｐｌｉｎｋ  Ｐｉｌｏｔ  Ｔｉｍｅ  Ｓｌｏｔ）で構成される特別サブフレームである。ＤｗＰＴＳは、端末での初期セル探索、同期化又はチャネル推定に用いられる。ＵｐＰＴＳは、基地局でのチャネル推定と端末の上り伝送同期を合わせるのに用いられる。保護区間は、アップリンク及びダウンリンク間でダウンリンク信号の多重経路遅延によりアップリンクで生じる干渉を除去するための区間である。
【００４６】
５ｍｓダウンリンク−アップリンクスイッチ−ポイント周期である場合に、特別サブフレーム（Ｓ）はハーフ−フレームごとに存在し、５ｍｓダウンリンク−アップリンクスイッチ−ポイント周期である場合には、最初のハーフ−フレームにのみ存在する。サブフレームインデックス０及び５（ｓｕｂｆｒａｍｅ  ０  ａｎｄ  ５）、及びＤｗＰＴＳは、ダウンリンク伝送のみのための区間である。ＵｐＰＴＳ、及び特別サブフレーム直後のサブフレームは、常にアップリンク伝送のための区間である。マルチ−セルが束ねられた（ａｇｇｒｅｇａｔｅｄ）場合に、端末は全セルにわたって同一のアップリンク−ダウンリンク構成であると仮定すればよく、互いに異なるセルでの特別サブフレームの保護区間は少なくとも１４５６Ｔｓオーバーラップされる。無線フレームの構造は例示に過ぎず、無線フレームに含まれるサブフレームの数、サブフレームに含まれるスロットの数、又はスロットに含まれるシンボルの数は様々に変更されてもよい。
【００４７】
下記の表１は、特別フレームの構成（ＤｗＰＴＳ／ＧＰ／ＵｐＰＴＳの長さ）を示すものである。
【００４８】
【表１】
0005909293.tif 000002
【００４９】
下記の表２は、アップリンク−ダウンリンク構成を示すものである。
【００５０】
【表２】
0005909293.tif 000003
【００５１】
表２を参照すると、３ＧＰＰ  ＬＴＥシステムではタイプ２フレーム構造について７種類のアップリンク−ダウンリンク構成（ｃｏｎｆｉｇｕｒａｔｉｏｎ）がある。各構成別にダウンリンクサブフレーム、特別フレーム、アップリンクサブフレームの位置又は個数が異なっている。以下では、表２に表したタイプ２フレーム構造のアップリンク−ダウンリンク構成（ｃｏｎｆｉｇｕｒａｔｉｏｎ）に基づいて本発明の様々な実施例を説明する。
【００５２】
図３Ａ及び図３Ｂは、移動通信システムの一例である３ＧＰＰ  ＬＴＥシステムのダウンリンク及びアップリンクサブフレームの構造を示す図である。
【００５３】
図３Ａを参照すると、１個のダウンリンクサブフレームは時間領域において２個のスロットを含んでいる。ダウンリンクサブフレーム内の一番目のスロットにおける先頭の最大３  ＯＦＤＭシンボルが、制御チャネルが割り当てられる制御領域（ｃｏｎｔｒｏｌ  ｒｅｇｉｏｎ）であり、残りのＯＦＤＭシンボルはＰＤＳＣＨ（Ｐｈｙｓｉｃａｌ  Ｄｏｗｎｌｉｎｋ  Ｓｈａｒｅｄ  Ｃｈａｎｎｅｌ）が割り当てられるデータ領域になる。
【００５４】
３ＧＰＰ  ＬＴＥシステムなどで使用されるダウンリンク制御チャネルには、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）などがある。サブフレームの最初のＯＦＤＭシンボルで伝送されるＰＣＦＩＣＨは、サブフレーム内で制御チャネルの伝送に使用されるＯＦＤＭシンボルの数（すなわち、制御領域のサイズ）に関する情報を運ぶ。ＰＤＣＣＨで伝送される制御情報をダウンリンク制御情報（Ｄｏｗｎｌｉｎｋ  Ｃｏｎｔｒｏｌ  Ｉｎｆｏｒｍａｔｉｏｎ、ＤＣＩ）という。ＤＣＩは、アップリンクリソース割当情報、ダウンリンクリソース割当情報、及び任意の端末グループに関するアップリンク伝送パワー制御命令などを指す。ＰＨＩＣＨは、アップリンクＨＡＲＱ（Ｈｙｂｒｉｄ  Ａｕｔｏｍａｔｉｃ  Ｒｅｐｅａｔ  Ｒｅｑｕｅｓｔ）に対するＡＣＫ（Ａｃｋｎｏｗｌｅｄｇｅｍｅｎｔ）／ＮＡＣＫ（Ｎｅｇａｔｉｖｅ  Ａｃｋｎｏｗｌｅｄｇｅｍｅｎｔ）信号を運ぶ。すなわち、端末が伝送したアップリンクデータに対するＡＣＫ／ＮＡＣＫ信号はＰＨＩＣＨ上で伝送される。
【００５５】
次に、ダウンリンク物理チャネルであるＰＤＣＣＨについて説明する。
【００５６】
基地局は、ＰＤＣＣＨを用いて、ＰＤＳＣＨのリソース割当及び伝送フォーマット（「ＤＬ  ｇｒａｎｔ」ともいう）、ＰＵＳＣＨのリソース割当情報（「ＵＬ  ｇｒａｎｔ」ともいう）、任意の端末、グループ内の個別端末に対する伝送パワー制御（Ｔｒａｎｓｍｉｔ  Ｐｏｗｅｒ  Ｃｏｎｔｒｏｌ、ＴＰＣ）命令の集合及びＶｏＩＰ（Ｖｏｉｃｅ  ｏｖｅｒ  Ｉｎｔｅｒｎｅｔ  Ｐｒｏｔｏｃｏｌ）の活性化などを伝送できる。基地局は複数のＰＤＣＣＨを制御領域内で伝送でき、端末は複数のＰＤＣＣＨをモニタリングできる。ＰＤＣＣＨは、１つ又は複数の連続したＣＣＥ（Ｃｏｎｔｒｏｌ  Ｃｈａｎｎｅｌ  Ｅｌｅｍｅｎｔｓ）の集合（ａｇｇｒｅｇａｔｉｏｎ）で構成される。基地局は、１つ又は複数の連続したＣＣＥの集合で構成されたＰＤＣＣＨを、サブブロックインタリービング（ｓｕｂｂｌｏｃｋ  ｉｎｔｅｒｌｅａｖｉｎｇ）を経て制御領域で伝送可能である。ＣＣＥは、無線チャネルの状態に応じた符号化率をＰＤＣＣＨに提供するために用いられる論理的割当単位である。ＣＣＥは、複数のリソース要素グループ（ｒｅｓｏｕｒｃｅ  ｅｌｅｍｅｎｔ  ｇｒｏｕｐ）に対応する。ＣＣＥの数とＣＣＥにより提供される符号化率との関係によってＰＤＣＣＨのフォーマット及び可能なＰＤＣＣＨのビット数が決定される。
【００５７】
基地局がＰＤＣＣＨで伝送する制御情報をダウンリンク制御情報（ｄｏｗｎｌｉｎｋ  ｃｏｎｔｒｏｌ  ｉｎｆｏｒｍａｔｉｏｎ、ＤＣＩ）という。基地局は、ＰＤＣＣＨで伝送する制御情報を、下記の表３のようなＤＣＩフォーマットに従って伝送すればよい。
【００５８】
【表３】
0005909293.tif 000004
【００５９】
表３を参照すると、ＤＣＩフォーマット０は、アップリンクリソース割当情報を指示し、ＤＣＩフォーマット１〜２は、ダウンリンクリソース割当情報を指示し、ＤＣＩフォーマット３、３Ａは、任意の端末グループに対するアップリンク伝送電力制御（Ｔｒａｎｓｍｉｔ  Ｐｏｗｅｒ  Ｃｏｎｔｒｏｌ、ＴＰＣ）命令を指示する。ＤＣＩフォーマット３／３Ａは複数の端末に対するＴＰＣ命令を含む。ＤＣＩフォーマット３／３Ａについて、基地局はＣＲＣにＴＰＣ−ＩＤをマスキングする。ＴＰＣ−ＩＤは、端末がＴＰＣ命令（ｃｏｍｍａｎｄ）を運ぶＰＤＣＣＨをモニタリングするためにデマスキング（ｄｅｍａｓｋｉｎｇ）する識別子である。ＴＰＣ−ＩＤは、ＰＤＣＣＨ上でＴＰＣ命令が伝送されるか否かを確認するために端末がＰＤＣＣＨのデコーディングに使用する識別子といえる。ＴＰＣ−ＩＤは、既存の識別子であるＣ−ＲＮＴＩ（Ｃｅｌｌ−Ｒａｄｉｏ  Ｎｅｔｗｏｒｋ  Ｔｅｍｐｏｒａｒｙ  Ｉｄｅｎｔｉｆｉｅｒ）、ＰＩ−ＲＮＴＩ（Ｐａｇｉｎｇ  Ｉｎｄｉｃａｔｉｏｎ−Ｒａｄｉｏ  Ｎｅｔｗｏｒｋ  Ｔｅｍｐｏｒａｒｙ  Ｉｄｅｎｔｉｆｉｅｒ）、ＳＣ−ＲＮＴＩ（Ｓｙｓｔｅｍ  Ｃｈａｎｇｅ−Ｒａｄｉｏ  Ｎｅｔｗｏｒｋ  Ｔｅｍｐｏｒａｒｙ  Ｉｄｅｎｔｉｆｉｅｒ）、ＲＡ−ＲＮＴＩ（Ｒａｎｄｏｍ  Ａｃｃｅｓｓ  Ｒａｄｉｏ  Ｎｅｔｗｏｒｋ  Ｔｅｍｐｏｒａｒｙ  Ｉｄｅｎｔｉｆｉｅｒ）を再使用して定義してもよく、又は新しい識別子で定義してもよい。ＴＰＣ−ＩＤは、セル内の特定集合の端末のための識別子である点で、特定端末のための識別子であるＣ−ＲＮＴＩと異なり、セル内の全ての端末のための識別子であるＰＩ−ＲＮＴＩ、ＳＣ−ＲＮＴＩ及びＲＡ−ＲＮＴＩとも異なる。ＤＣＩがＮ個の端末のためのＴＰＣ命令を含む場合に、Ｎ個の端末のみがＴＰＣ命令を受信すればいいわけである。もし、セル内の全ての端末に対するＴＰＣ命令がＤＣＩに含まれているなら、ＴＰＣ−ＩＤはセル内の全ての端末のための識別子となる。
【００６０】
端末は、サブフレーム内の検索空間（ｓｅａｒｃｈ  ｓｐａｃｅ）でＰＤＣＣＨ候補（ｃａｎｄｉｄａｔｅ）の集合をモニタリングしてＴＰＣ−ＩＤを探す。この時、ＴＰＣ−ＩＤは共用検索空間で探してもよく、端末特定（ＵＥ  ｓｅｐｃｉｆｉｃ）検索空間で探してもよい。共用検索空間は、セル内の全ての端末が検索する検索空間であり、端末特定検索空間は、特定端末が検索する検索空間である。もし、該当するＰＤＣＣＨ候補に対してＴＰＣ−ＩＤをデマスキングしてＣＲＣエラーが検出されないと、端末はＰＤＣＣＨ上のＴＰＣ命令が受信できる。
【００６１】
多数のＴＰＣ命令のみを運ぶＰＤＣＣＨのための識別子、ＴＰＣ−ＩＤを定義する。端末は、ＴＰＣ−ＩＤが検出されると、該当するＰＤＣＣＨ上のＴＰＣ命令を受信する。該ＴＰＣ命令は、アップリンクチャネルの伝送電力を調節するのに使われる。これにより、誤ったパワー制御による基地局への伝送失敗や他の端末への干渉を防止することができる。
【００６２】
以下では、ＬＴＥシステムなどにおいて基地局がＰＤＣＣＨを伝送のためにリソースをマッピングする方案について簡単に説明する。
【００６３】
一般に、基地局はＰＤＣＣＨを介してスケジューリング割当情報及び他の制御情報を伝送できる。物理制御チャネルは、１つの集合（ａｇｇｒｅｇａｔｉｏｎ）又は複数個の連続制御チャネル要素（ＣＣＥ：Ｃｏｎｔｒｏｌ  Ｃｈａｎｎｅｌ  Ｅｌｅｍｅｎｔ）で伝送される。１個のＣＣＥは９個のリソース要素グループ（Ｒｅｓｏｕｒｃｅ  Ｅｌｅｍｅｎ  ｔＧｒｏｕｐ、ＲＥＧ）を含む。ＰＣＦＩＣＨ（Ｐｈｙｓｉｃａｌ  Ｃｏｎｔｒｏｌ  Ｆｏｒｍａｔ  Ｉｎｄｉｃａｔｏｒ  ＣＨｈａｎｎｅｌ）又はＰＨＩＣＨ（Ｐｈｙｓｉｃａｌ  Ｈｙｂｒｉｄ  Ａｕｔｏｍａｔｉｃ  Ｒｅｐｅａｔ  Ｒｅｑｕｅｓｔ  Ｉｎｄｉｃａｔｏｒ  Ｃｈａｎｅｌ）に割り当てられなかったＲＢＧの個数はＮＲＥＧである。システムで利用可能なＣＣＥは０〜ＮＣＣＥ−１である（ここで、
【化１】
0005909293.tif 000005
である。）。ＰＤＣＣＨは、下記の表４に表すように、多重フォーマットを支援する。ｎ個の連続ＣＣＥで構成された１つのＰＤＣＣＨはｉ  ｍｏｄ  ｎ＝０を行うＣＣＥから始まる（ここで、ｉはＣＣＥ番号である）。多重ＰＤＣＣＨは１つのサブフレームで伝送可能である。
【００６４】
【表４】
0005909293.tif 000006
【００６５】
表４を参照すると、基地局は制御情報などをいくつの領域で送るかによってＰＤＣＣＨフォーマットを決定できる。端末はＣＣＥ単位で制御情報などを読むことで、オーバーヘッドを減らすことができる。
【００６６】
図３Ｂを参照すると、アップリンクサブフレームは周波数領域において制御領域とデータ領域とに区分可能である。制御領域は、アップリンク制御情報を運ぶＰＵＣＣＨ（Ｐｈｙｓｉｃａｌ  Ｕｐｌｉｎｋ  Ｃｏｎｔｒｏｌ  ＣＨａｎｎｅｌ）に割り当てられる。データ領域は、ユーザーデータを運ぶためのＰＵＳＣＨ（Ｐｈｙｓｉｃａｌ  Ｕｐｌｉｎｋ  Ｓｈａｒｅｄ  ＣＨａｎｎｅｌ）に割り当てられる。単一搬送波特性を維持するために、一つの端末はＰＵＣＣＨ及びＰＵＳＣＨを同時に伝送しない。一つの端末のためのＰＵＣＣＨは一つのサブフレームにおいてＲＢペアで割り当てられる。ＲＢペアに属するＲＢはそれぞれ、２個のスロットで互いに異なる副搬送波を占めている。ＰＵＣＣＨに割り当てられたＲＢペアはスロット境界（ｓｌｏｔ  ｂｏｕｎｄａｒｙ）で周波数ホッピングする。
【００６７】
図４は、３ＧＰＰ  ＬＴＥシステムにおいてダウンリンクの時間−周波数リソース格子構造（ｒｅｓｏｕｒｃｅ  ｇｒｉｄ  ｓｔｒｕｃｔｕｒｅ）を示す図である。
【００６８】
各スロットで伝送されるダウンリンク信号は、
【化２】
0005909293.tif 000007
個の副搬送波（ｓｕｂｃａｒｒｉｅｒ）と
【化３】
0005909293.tif 000008
個のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルで構成されるリソース格子（ｒｅｓｏｕｒｃｅ  ｇｒｉｄ）構造を用いる。ここで、
【化４】
0005909293.tif 000009
はダウンリンクでのリソースブロック（ＲＢ：Ｒｅｓｏｕｒｃｅ  Ｂｌｏｃｋ）の個数を表し、
【化５】
0005909293.tif 000010
は１つのＲＢを構成する副搬送波の個数を表し、
【化６】
0005909293.tif 000011
は一つのダウンリンクスロットでのＯＦＤＭシンボルの個数を表す。
【化７】
0005909293.tif 000012
のサイズは、セル内で構成されたダウンリンク伝送帯域幅に依存し、
【化８】
0005909293.tif 000013
を満たさなければならない。ここで、
【化９】
0005909293.tif 000014
は、無線通信システムが支援する最小のダウンリンク帯域幅であり、
【化１０】
0005909293.tif 000015
は、無線通信システムが支援する最大のダウンリンク帯域幅である。
【化１１】
0005909293.tif 000016
でよいが、これに限定されるものではない。１つのスロット内に含まれたＯＦＤＭシンボルの個数はサイクリックプレフィックス（ＣＰ：Ｃｙｃｌｉｃ  Ｐｒｅｆｉｘ）の長さ及び副搬送波の間隔によって異なることがある。多重アンテナ伝送の場合、１つのアンテナポート当たり１つのリソース格子を定義可能である。
【００６９】
各アンテナポートに対するリソース格子内の各要素はリソース要素（ＲＥ：Ｒｅｓｏｕｒｃｅ  Ｅｌｅｍｅｎｔ）と呼ばれ、スロット内のインデックス対（ｋ，ｌ）によりそれぞれ識別される。ここで、ｋは周波数領域でのインデックスであり、ｌは時間領域でのインデックスであり、ｋは０，…，
【化１２】
0005909293.tif 000017
のいずれか一つの値を有し、ｌは０，…，
【化１３】
0005909293.tif 000018
のいずれか一つの値を有する。
【００７０】
図４に示したリソースブロックは、ある物理チャネルとリソース要素とのマッピング（ｍａｐｐｉｎｇ）関係を説明するために用いられる。ＲＢは、物理リソースブロック（ＰＲＢ：Ｐｈｙｓｉｃａｌ  Ｒｅｓｏｕｒｃｅ  Ｂｌｏｃｋ）と仮想リソースブロック（ＶＲＢ：Ｖｉｒｔｕａｌ  Ｒｅｓｏｕｒｃｅ  Ｂｌｏｃｋ）とに分けられる。１つのＰＲＢは、時間領域の
【化１４】
0005909293.tif 000019
個の連続したＯＦＤＭシンボルと周波数領域の
【化１５】
0005909293.tif 000020
個の連続した副搬送波で定義される。ここで、
【化１６】
0005909293.tif 000021
はあらかじめ決定された値でよい。例えば、
【化１７】
0005909293.tif 000022
は、下記の表５のように与えられることがある。したがって、１つのＰＲＢは、
【化１８】
0005909293.tif 000023
個のリソース要素で構成される。１つのＰＲＢは、時間領域では１つのスロットに対応し、周波数領域では１８０ｋＨｚに対応するが、これに限定されるものではない。
【００７１】
【表５】
0005909293.tif 000024
【００７２】
ＰＲＢは、周波数領域で０から
【化１９】
0005909293.tif 000025
までの値を有する。周波数領域でのＰＲＢナンバー（ｎｕｍｂｅｒ）ｎＰＲＢと１つのスロット内でのリソース要素（ｋ，ｌ）との関係は、
【化２０】
0005909293.tif 000026
を満たす。
【００７３】
ＶＲＢのサイズはＰＲＢのサイズと同一である。ＶＲＢは、ローカル型ＶＲＢ（Ｌｏｃａｌｉｚｅｄ  ＶＲＢ、ＬＶＲＢ）と分散型ＶＲＢ（Ｄｉｓｔｒｉｂｕｔｅｄ  ＶＲＢ、ＤＶＲＢ）とに区別可能である。各タイプのＶＲＢに対して、１つのサブフレーム内の２つのスロットにある一対のＶＲＢは、単一のＶＲＢナンバーｎＶＲＢが共に割り当てられる。
【００７４】
ＶＲＢはＰＲＢと同一のサイズを有することができる。２タイプのＶＲＢが定義されるが、一つはローカル型ＶＲＢ（Ｌｏｃａｌｉｚｅｄ  ＶＲＢ、ＬＶＲＢ）であり、もう一つは分散型ＶＲＢ（Ｄｉｓｔｒｉｂｕｔｅｄ  ＶＲＢ、ＤＶＲＢ）である。各タイプのＶＲＢに対して、一対（ｐａｉｒ）のＶＲＢが単一のＶＲＢインデックス（以下、ＶＲＢナンバー（ｎｕｍｂｅｒ）ともいう）を持って１個のサブフレームの２個のスロットにわたって割り当てられる。言い換えると、１つのサブフレームを構成する２個のスロットのうち、第１スロットに属する
【化２１】
0005909293.tif 000027
個のＶＲＢにはそれぞれ
【化２２】
0005909293.tif 000028
のいずれか一つのインデックス（Ｉｎｄｅｘ）が割り当てられ、第２スロットに属する
【化２３】
0005909293.tif 000029
個のＶＲＢにも同様に、それぞれ
【化２４】
0005909293.tif 000030
のいずれか一つのインデックスが割り当てられる。
【００７５】
以下では、ＬＴＥシステムで基地局が端末にＰＤＣＣＨを伝送する過程を説明する。
【００７６】
基地局は、端末に伝送するＤＣＩ（Ｄｏｗｎｌｉｎｋ  Ｃｏｎｔｒｏｌ  Ｉｎｆｏｒｍａｔｉｏｎ）によってＰＤＣＣＨフォーマットを決定し、制御情報にＣＲＣ（Ｃｙｃｌｉｃ  Ｒｅｄｕｎｄａｎｃｙ  Ｃｈｅｃｋ）を付加する。ＣＲＣにはＰＤＣＣＨの所有者（ｏｗｎｅｒ）や用途によって固有の識別子（これをＲＮＴＩ（Ｒａｄｉｏ  Ｎｅｔｗｏｒｋ  Ｔｅｍｐｏｒａｒｙ  Ｉｄｅｎｔｉｆｉｅｒ）という）がマスキングされる。特定端末のためのＰＤＣＣＨであれば、端末の固有識別子、例えばＣ−ＲＮＴＩ（Ｃｅｌｌ−ＲＮＴＩ）がＣＲＣにマスキングされるとよい。又は、ページングメッセージのためのＰＤＣＣＨであれば、ページング指示識別子、例えばＰ−ＲＮＴＩ（Ｐａｇｉｎｇ−ＲＮＴＩ）がＣＲＣにマスキングされてもよい。システム情報のためのＰＤＣＣＨであれば、システム情報識別子ＳＩ−ＲＮＴＩ（ｓｙｓｔｅｍ  ｉｎｆｏｒｍａｔｉｏｎ−ＲＮＴＩ）がＣＲＣにマスキングされてもよい。端末のランダムアクセスプリアンブルの伝送に対する応答であるランダムアクセス応答を指示するためにＲＡ−ＲＮＴＩ（Ｒａｎｄｏｍ  Ａｃｃｅｓｓ−ＲＮＴＩ）がＣＲＣにマスキングされてもよい。下記の表６は、ＰＤＣＣＨにマスキングされる識別子の例を表すものである。
【００７７】
【表６】
0005909293.tif 000031
【００７８】
Ｃ−ＲＮＴＩが使用されると、ＰＤＣＣＨはそれぞれ、該当する特定端末のための制御情報を搬送し、他のＲＮＴＩが使用されると、ＰＤＣＣＨはそれぞれ、セル内の全ての又は複数の端末が受信する共用制御情報を搬送する。基地局は、ＣＲＣの付加されたＤＣＩにチャネルコーディングを行って符号化されたデータ（ｃｏｄｅｄ  ｄａｔａ）を生成する。そして、基地局は、ＰＤＣＣＨフォーマットに割り当てられたＣＣＥの数に従うレートマッチング（ｒａｔｅ  ｍａｔｃｈｉｎｇ）を行う。その後、基地局は、符号化されたデータを変調して変調シンボルを生成する。そして、基地局は変調シンボルを物理的なリソース要素にマッピングする。
【００７９】
キャリアアグリゲーション（Ｃａｒｒｉｅｒ  Ａｇｇｒｅｇａｔｉｏｎ）
【００８０】
３ＧＰＰ（３ｒｄ  Ｇｅｎｅｒａｔｉｏｎ  Ｐａｒｔｎｅｒｓｈｉｐ  Ｐｒｏｊｅｃｔ）は、ＬＴＥシステムの次世代無線通信システムをＬＴＥ−Ａ（Ｌｏｎｇ  Ｔｅｒｍ  Ｅｖｏｌｕｔｉｏｎ−Ａｄｖａｎｃｅｄ）システムと命名し、高速・大量のデータ伝送が可能となるように設計している。ＬＴＥ−Ａシステムは、キャリアアグリゲーション（Ｃａｒｒｉｅｒ  Ａｇｇｒｅｇａｔｉｏｎ、ＣＡ）（或いは、搬送波併合）技術を採用している。すなわち、複数個のコンポーネントキャリア（Ｃｏｍｐｏｎｅｎｔ  Ｃａｒｒｉｅｒ、ＣＣ）をアグリゲーションして伝送を実行することで、端末の伝送帯域幅を向上させ、周波数の使用効率を増加させる。ＬＴＥ−Ａシステムは、既存のＬＴＥ  Ｒｅｌ−８／９で使用された単一キャリア（ｓｉｎｇｌｅ  ｃａｒｒｉｅｒ）を１つではなく複数のキャリア（すなわち、マルチキャリア）を同時に束ねて使用することで、１００ＭＨｚまで帯域幅を拡張可能となる。言い換えると、既存のＬＴＥ  Ｒｅｌ−８／９で最大２０ＭＨｚまで定義されたキャリアをコンポーネントキャリア（或いは、要素キャリア）と再定義し、キャリアアグリゲーション技術を用いて最大５個までのコンポーネントキャリア（ＣＣ）を一つの端末が使用できるようにした。
【００８１】
現在のキャリアアグリゲーション（或いは、搬送波併合）技術は主として、下記のような特徴を有する。
【００８２】
（１）連続のコンポーネントキャリア（ｃｏｎｔｉｇｕｏｕｓ  ｃｏｍｐｏｎｅｎｔ  ｃａｒｒｉｅｒ）のアグリゲーションも支援し、不連続のコンポーネントキャリア（ｎｏｎ−ｃｏｎｔｉｇｕｏｕｓ  ｃｏｍｐｏｎｅｎｔ  ｃａｒｒｉｅｒ）のアグリゲーションも支援する。
【００８３】
（２）アップリンクとダウンリンクのキャリアアグリゲーション個数は互いに異なってもよいが、もし以前システムとの互換が必要な場合には、アップリンクとダウンリンクとが同一の数量のコンポーネントキャリアを構成できる。
【００８４】
（３）アップリンク／ダウンリンクに対して互いに異なった数量のコンポーネントキャリアを構成することで、互いに異なった伝送帯域幅が獲得できる。
【００８５】
（４）端末に対して、それぞれのコンポーネントキャリア（ＣＣ）は一つの伝送ブロック（ｔｒａｎｓｐｏｒｔ  ｂｌｏｃｋ）を独自で伝送し、独立したハイブリッド自動再送要求（Ｈｙｂｒｉｄ  Ａｕｔｏｍａｔｉｃ  Ｒｅｐｅａｔ  ｒｅＱｕｅｓｔ、ＨＡＲＱ）メカニズムを具備する。
【００８６】
１つのキャリアを使用する既存のＬＴＥシステムとは違い、複数個のコンポーネントキャリア（ＣＣ）を使用するキャリアアグリゲーションでは、コンポーネントキャリアを效果的に管理する方法が必要である。コンポーネントキャリアを效率的に管理するには、コンポーネントキャリアを役割と特徴によって分類すればよい。コンポーネントキャリアは、プライマリコンポーネントキャリア（Ｐｒｉｍａｒｙ  Ｃｏｍｐｏｎｅｎｔ  Ｃａｒｒｉｅｒ、ＰＣＣ）とセカンダリコンポーネントキャリア（Ｓｅｃｏｎｄａｒｙ  Ｃｏｍｐｏｎｅｎｔ  Ｃａｒｒｉｅｒ、ＳＣＣ）とに分類可能である。プライマリコンポーネントキャリア（ＰＣＣ）は、複数のコンポーネントキャリアの使用時においてコンポーネントキャリアの管理の中心となるコンポーネントキャリアで、各端末に対して一つずつ定義されている。このようなプライマリコンポーネントキャリア（ＰＣＣ）は、プライマリセル（Ｐｒｉｍａｒｙ  ｃｅｌｌ、Ｐｃｅｌｌ）などと呼ばれてもよい。
【００８７】
そして、１つのプライマリコンポーネントキャリア（ＰＣＣ）以外の、残りコンポーネントキャリアはセカンダリコンポーネントキャリア（ＳＣＣ）と定義される。セカンダリコンポーネントキャリア（ＳＣＣ）はセカンダリセル（Ｓｅｃｏｎｄａｒｙ  ｃｅｌｌ、Ｓｃｅｌｌ）などと呼ばれてもよい。プライマリコンポーネントキャリアは、束ねられている全体コンポーネントキャリアを管理する核心キャリアの役割を担当でき、残りのセカンダリコンポーネントキャリアは、高い伝送率を提供するための追加的な周波数リソースの提供といった役割を担当できる。例えば、基地局と端末とのシグナリングのための接続（ＲＲＣ）はプライマリコンポーネントキャリアで行われるとよい。保安と上位層のための情報提供も、プライマリコンポーネントキャリアで行われてもよい。実際に、１つのコンポーネントキャリアのみ存在する場合には、該コンポーネントキャリアは、プライマリコンポーネントキャリアになるはずであり、既存のＬＴＥシステムのキャリアと同一の役割を担当することになる。
【００８８】
キャリアアグリゲーションにおいてダウンリンクリソースはＤＬ  ＣＣ（Ｃｏｍｐｏｎｅｎｔ  Ｃａｒｒｉｅｒ）、アップリンクリソースはＵＬ  ＣＣと定義可能である。また、ダウンリンクリソース及びアップリンクリソースの組み合わせをセル（ｃｅｌｌ）と称してもよい。ただし、ＤＬ  ＣＣとＵＬ  ＣＣが非対称に構成される場合には、セルがＤＬ  ＣＣ（又はＵＬ  ＣＣ）のみを指すこともある。例えば、特定端末に一つのサービングセルが構成された（ｃｏｎｆｉｇｕｒｅｄ  ｓｅｒｖｉｎｇ  ｃｅｌｌ）場合に、１  ＤＬ  ＣＣと１  ＵＬ  ＣＣを有するようになる。しかし、特定端末に２つ以上のサービングセルが設定される場合に、該端末はセルの個数分のＤＬ  ＣＣを有し、ＵＬ  ＣＣの個数はＤＬ  ＣＣの個数と等しいか小さくなる。又は、特定端末に複数のサービングセルが設定される場合に、ＤＬ  ＣＣの数よりもＵＬ  ＣＣが多いＣＡ環境が支援されることもある。
【００８９】
ダウンリンクリソースの搬送波周波数（セルの中心周波数）とアップリンクリソースの搬送波周波数間の連係（ｌｉｎｋａｇｅ）は、ダウンリンクリソース上で伝送されるシステム情報（ＳＩ）によって指示（ｉｎｄｉｃａｔｅ）されるとよい。例えば、ＳＩＢ２（Ｓｙｓｔｅｍ  Ｉｎｆｏｒｍａｔｉｏｎ  Ｂｌｏｃｋ  Ｔｙｐｅ２）によって定義される連係（ｌｉｎｋａｇｅ）によってＤＬリソースとＵＬリソースの組み合わせ（ｃｏｍｂｉｎａｔｉｏｎ）が構成可能である。
【００９０】
このような定義によれば、キャリアアグリゲーション（ＣＡ）は、搬送波周波数が互いに異なる２以上のセルの併合ということができる。すなわち、特定端末に搬送波周波数が互いに異なる２個以上のサービングセルが設定される場合をＣＡ環境といえよう。ＣＡを支援する端末に対して、一つ以上のＳｃｅｌｌ（Ｓｅｃｏｎｄａｒｙ  ｃｅｌｌ）がＰｃｅｌｌ（Ｐｒｉｍａｒｙ  Ｃｅｌｌ）と共に束ねられて使用されることで、増加した帯域幅を支援可能となる。
【００９１】
ここで、サービングセルはＰｃｅｌｌ又はＳｃｅｌｌとなる。ＲＲＣ接続が設定された（ＲＲＣ＿ＣＯＮＮＥＣＴＥＤ）端末がＣＡを支援できない場合には、Ｐｃｅｌｌを含む一つのサービングセルのみが存在するようになる。又、ＲＲＣ＿ＣＯＮＮＥＣＴＥＤ端末がＣＡを支援する場合には、サービングセルという用語が、Ｐｃｅｌｌ及びＳｃｅｌｌを含む一つ以上のセルの集合（ｓｅｔ）を指すようになる。
【００９２】
Ｐｃｅｌｌは、ＣＡ環境において設定されたサービングセルのうち、制御関連通信の中心となるセルである。例えば、端末が初期接続確立手順（ｉｎｉｔｉａｌ  ｃｏｎｎｅｃｔｉｏｎ  ｅｓｔａｂｌｉｓｈｍｅｎｔ  ｐｒｏｃｅｄｕｒｅ）、接続再確立手順（ｃｏｎｎｅｃｔｉｏｎ  ｒｅ−ｅｓｔａｂｌｉｓｈｍｅｎｔ  ｐｒｏｃｅｄｕｒｅ）又はハンドオーバー手順において指示又は利用されたセルがＰｃｅｌｌとなる。端末は自身のＰｃｅｌｌで重要な制御情報（例えば、ＰＵＣＣＨ）を受信でき、また、端末はシステム情報獲得及び変更に対するモニタリング手順をＰｃｅｌｌでのみ行うことができる。しかし、場合によっては、端末はＳｃｅｌｌで制御情報などを受信することもある。ＣＡを支援する端末に対して、基地局は、ｍｏｂｉｌｉｔｙＣｏｎｔｒｏｌＩｎｆｏを含むＲＲＣＣｏｎｎｅｃｔｉｏｎＲｅｃｏｎｆｉｇｕｒａｔｉｏｎメッセージを用いるハンドオーバー手順を用いてのみＰｃｅｌｌが変更できる。
【００９３】
次に、Ｓｃｅｌｌは、ＣＡ環境において設定されたサービングセルのうち、Ｐｃｅｌｌ以外の残りのセルを意味する。ＳｃｅｌｌではＰＵＣＣＨが存在しない。ＳＣｅｌｌを追加するとき、基地局は、ＣＡを支援する端末に専用シグナリングを用いてＲＲＣ＿ＣＯＮＮＥＣＴＥＤ状態の該当セルでの動作に関連した全てのシステム情報を提供すればよい。Ｓｃｅｌｌに対して、システム情報の変更は、一つのＲＲＣＣｏｎｎｅｃｔｉｏｎＲｅｃｏｎｆｉｇｕｒａｔｉｏｎメッセージを用いた該当Ｓｃｅｌｌの解除（ｒｅｌｅａｓｅ）及び追加（ａｄｄｉｔｉｏｎ）によって行われればよい。基地局は該当Ｓｃｅｌｌでブロードキャストメッセージに含まれたパラメータと異なるパラメータを有する専用シグナリングを端末に伝送すればよい。初期保安活性化手順（ｉｎｉｔｉａｌ  ｓｅｃｕｒｉｔｙ  ａｃｔｉｖａｔｉｏｎ  ｐｒｏｃｅｄｕｒｅ）の後に、基地局はＰｃｅｌｌ（接続確立手順の間にサービングセルとして設定されるセル）に追加的に一つ以上のＳｃｅｌｌを端末に設定可能である。Ｐｃｅｌｌは、保安入力及び上位層システム情報を提供するのに利用され、Ｓｃｅｌｌは追加的なダウンリンクリソースを提供し、必要時にはアップリンクリソースを提供するのに利用されるとよい。基地局は、ｍｏｂｉｌｉｔｙＣｏｎｔｒｏｌＩｎｆｏを含んでいるか又は含んでいないＲＲＣＣｏｎｎｅｃｔｉｏｎＲｅｃｏｎｆｉｇｕｒａｔｉｏｎメッセージを用いたＲＲＣ接続再設定手順によりＳｃｅｌｌを独立して追加、除去又は修正可能である。
【００９４】
要するに、キャリアアグリゲーションにおいて多重搬送波はＰｃｅｌｌとＳｃｅｌｌとに区別され、これは、端末−特定パラメータ（ＵＥ−ｓｐｅｃｉｆｉｃ  ｐａｒａｍｅｔｅｒ）である。特定端末は、一つ以上の設定されたサービングセルを有することがあり、複数の設定されたサービングセルが存在する場合に、複数のセルのいずれか一セルはＰｃｅｌｌとなり、残りセルはＳｃｅｌｌとなる。ここで、Ｐｃｅｌｌは、セルインデックス（例えば、ＳｅｒｖＣｅｌｌＩｎｄｅｘ）の中で最も低いインデックスを有するセルに設定されるとよい。また、ＴＤＤの場合に、端末が複数の設定されたサービングセルを有するとき、特定ＤＬサブフレームで伝送されるＰＤＳＣＨに対するＡＣＫ／ＮＡＣＫがどのＵＬサブフレームで伝送されるかを定義するＵＬ−ＤＬ設定（ＵＬ−ＤＬ  ｃｏｎｆｉｇｕｒａｔｉｏｎ）は、全てのセルで同一であってよい。
【００９５】
また、端末は、一つ以上のＣＣから測定（ｍｅａｓｕｒｅｍｅｎｔ）されたＣＳＩ（Ｃｈａｎｎｅｌ  Ｓｔａｔｅ  Ｉｎｆｏｒｍａｔｉｏｎ）（ＣＱＩ、ＲＩ、ＰＭＩなどを総称する）、ＨＡＲＱ  ＡＣＫ／ＮＡＣＫなどのアップリンク制御情報を、あらかじめ定められた一つのＣＣで基地局へ伝送可能である。例えば、端末は、Ｐｃｅｌｌ  ＤＬ  ＣＣとＳｃｅｌｌ（ｓ）  ＤＬ  ＣＣから受信した、複数のＡＣＫ／ＮＡＣＫ情報を集めて（例えば、ＡＣＫ／ＮＡＣＫ多重（ｍｕｌｔｉｐｌｅｘｉｎｇ）又はＡＣＫ／ＮＡＣＫバンドリング（ｂｕｎｄｌｉｎｇ）などして）、Ｐｃｅｌｌ内のＵＬ  ＣＣで一つのＰＵＣＣＨを用いて伝送してもよい。
【００９６】
図５は、３ＧＰＰ  ＬＴＥシステムにおける、ＳＲＳシンボルを含むアップリンクサブフレーム構成の一例を示す図である。
【００９７】
図５を参照すると、サウンディング参照信号（Ｓｏｕｎｄｉｎｇ  Ｒｅｆｅｒｅｎｃｅ  Ｓｉｇｎａｌ：ＳＲＳ）は、一つのサブフレームにおいて時間軸上で最後に位置するＳＣ−ＦＤＭＡシンボルで伝送される。同一のサブフレームの最後のＳＣ−ＦＤＭＡで伝送される複数の端末のＳＲＳは、周波数位置／シーケンスによって区別すればよい。サウンディング参照信号（Ｓｏｕｎｄｉｎｇ  Ｒｅｆｅｒｅｎｃｅ  Ｓｉｇｎａｌ、ＳＲＳ）は、アップリンクデータ及び／又は制御情報の伝送と関連がなく、主に、アップリンク上で周波数−選択的スケジューリングが可能なようにチャネル品質を評価するのに用いられる。しかし、ＳＲＳは、最近にスケジューリングされなかった端末に対しては、様々な機能を提供したり、電力制御を向上させるなどの別の目的で使用されることもある。ＳＲＳは、アップリンクチャネル測定に用いられる参照信号で、各端末が基地局に伝送するパイロット信号である。このＳＲＳを用いて、基地局は、各端末から基地局までのチャネル状態を推定する。ＳＲＳを伝送するチャネルは、各端末状態によって各端末こどに異なった伝送帯域幅及び伝送周期を有してもよい。チャネル推定結果に基づき、基地局は毎サブフレームごとにどの端末のデータチャネルをスケジューリングするかが決定できる。
【００９８】
無線チャネルはアップリンク及びダウンリンク間に相互的関係（ｒｅｃｉｐｒｏｃａｌ）にあるという仮定の下に、ＳＲＳはダウンリンクチャネル品質を推定するのに使用可能である。このような仮定は、アップリンクとダウンリンクが同一の周波数領域を共有する一方で、時間領域では分離された時間分割複信（Ｔｉｍｅ  Ｄｉｖｉｓｉｏｎ  Ｄｕｐｌｅｘ、ＴＤＤ）システムにおいて有効である。セル内の端末によりＳＲＳが伝送されるサブフレームは、セル−特定（ｃｅｌｌ−ｓｐｅｃｉｆｉｃ）放送シグナリングにより指示されるとよい。４ビットサイズのセル−特定「ｓｒｓｓｕｂｆｒａｍｅＣｏｎｆｉｇｕｒａｔｉｏｎ」パラメータが、各無線フレーム内でＳＲＳを伝送可能な１５個の可能なサブフレームセットを指示する。このような構成は、ＳＲＳオーバーヘッドを調整する上で柔軟性を提供する。図９に示すように、端末は、構成されたサブフレームにおいて最後のＳＣ−ＦＤＭＡシンボルでＳＲＳを伝送可能である。
【００９９】
したがって、ＳＲＳとデータ復調用参照信号（ＤｅＭｏｄｕｌａｔｉｏｎ−Ｒｅｆｅｒｅｎｃｅ  Ｓｉｇｎａｌ、ＤＭ−ＲＳ）とはサブフレームで別々のＳＣ−ＦＤＭＡシンボルに位置することになる。同一のサブフレームの最後のＳＣ−ＦＤＭＡで伝送される複数の端末のサウンディング参照信号は、周波数位置によって区別可能である。端末のＰＵＳＣＨデータは、ＳＲＳのために設計されたＳＣ−ＦＤＭＡシンボルでは伝送されず、最悪な場合は、毎サブフレームごとにＳＲＳシンボルを有することから、７％のサウンディングオーバーヘッドが発生してしまう。
【０１００】
ＳＲＳは、ＣＡＺＡＣ（Ｃｏｎｓｔａｎｔ  Ａｍｐｌｉｔｕｄｅ  Ｚｅｒｏ  Ａｕｔｏ  Ｃｏｒｒｅｌａｔｉｏｎ）シーケンスなどにより生成され、複数の端末から伝送されたサウンディング参照信号は、下記の式１による互いに異なる巡回シフト（ｃｙｃｌｉｃ  ｓｈｉｆｔ）値（α）を有するＣＡＺＡＣシーケンス
【化２５】
0005909293.tif 000032
である。ここで、
【化２６】
0005909293.tif 000033
は、ＳＲＳシーケンスである。
【０１０１】
【数１】
0005909293.tif 000034
【０１０２】
ここで、
【化２７】
0005909293.tif 000035
は、上位層によって各端末に設定される値で、０〜７のいずれか一つの整数値を有する。一つのＣＡＺＡＣシーケンスから巡回シフトにより発生したＣＡＺＡＣシーケンスはそれぞれ、自身と異なる巡回シフト値を有するシーケンスと零の相関値（ｚｅｒｏ−ｃｏｒｒｅｌａｔｉｏｎ）を有する特性がある。このような特性から、同一の周波数領域におけるＳＲＳをＣＡＺＡＣシーケンス巡回シフト値によって区別可能となる。各端末のＳＲＳは、基地局で設定するパラメータによって周波数上に割り当てられる。端末は、アップリンクデータ伝送帯域幅全体を通じてＳＲＳを伝送できるように、サウンディング参照信号の周波数ホッピング（ｈｏｐｐｉｎｇ）を行う。
【０１０３】
前述したように、３ＧＰＰ  ＬＴＥ  Ｒｅｌｅａｓｅ  ８／９システムでは端末のＳＲＳ伝送に周期的ＳＲＳ伝送のみが支援され、この周期的ＳＲＳから、基地局は各端末のアップリンクチャネル品質を推定できる。この時、基地局が推定したチャネルは、周波数依存スケジューリング（ｆｒｅｑｕｅｎｃｙ  ｄｅｐｅｎｄｅｎｔ  ｓｃｈｅｄｕｌｉｎｇ）、リンクレベル適応（ｌｉｎｋ  ｌｅｖｅｌ  ａｄａｐｔａｔｉｏｎ）、タイミング推定（ｔｉｍｉｎｇ  ｅｓｔｉｍａｔｉｏｎ）、及びアップリンク電力制御（ＵＬ  ｐｏｗｅｒ  ｃｏｎｔｒｏｌ）などの機能のために使用される。基地局は、ＳＲＳアップリンク構成（ｃｏｎｆｉｇｕｒａｔｉｏｎ）をＳＲＳパラメータを用いて端末−特定（ＵＥ−ｓｐｅｃｉｆｉｃ）に又はセル−特定（Ｃｅｌｌ−ｓｐｅｃｉｆｉｃ）に上位層シグナリング（例えば、ＲＲＣシグナリング）なとで各端末に伝送可能である。基地局は端末に、下記の表７のように、ＳＲＳアップリンク構成情報をＳＲＳアップリンク構成情報要素（Ｉｎｆｏｒｍａｔｉｏｎ  Ｅｌｅｍｅｎｔ）メッセージのタイプで知らせるとよい。
【０１０４】
【表７】
0005909293.tif 000036
【０１０５】
下記の表８は、上記表７でＳｏｕｎｄｉｎｇＲＳ−ＵＬ−Ｃｏｎｆｉｇｉｎｆｏｒｍａｔｉｏｎｅｌｅｍｅｎｔメッセージタイプに含まれたＳＲＳ構成パラメータを示すものである。
【０１０６】
【表８】
0005909293.tif 000037
【０１０７】
表７及び表８を参照すると、基地局が端末に知らせるＳＲＳ構成情報（ＳＲＳ  ｃｏｎｆｉｇｕｒａｔｉｏｎ  ｉｎｆｏｒｍａｔｉｏｎ）は、ＳＲＳ構成パラメータとして、ｓｒｓＢａｎｄｗｉｄｔｈＣｏｎｆｉｇｕｒａｔｉｏｎパラメータ、ｓｒｓＳｕｂｆｒａｍｅＣｏｎｆｉｇｕｒａｔｉｏｎパラメータ、ｓｒｓＢａｎｄｗｉｄｔｈパラメータ、ｆｒｅｑｕｅｎｃｙＤｏｍａｉｎＰｏｓｉｔｉｏｎパラメータ、ｓｒｓＨｏｐｐｉｎｇＢａｎｄｗｉｄｔｈパラメータ、ｄｕｒａｔｉｏｎパラメータ、ｓｒｓＣｏｎｆｉｇｕｒａｔｉｏｎＩｎｄｅｘパラメータ、ｔｒａｎｓｍｉｓｓｉｏｎＣｏｍｂパラメータを含んでいる。ｓｒｓＢａｎｄｗｉｄｔｈＣｏｎｆｉｇｕｒａｔｉｏｎパラメータは、セルでの最大ＳＲＳ帯域幅情報を表し、ｓｒｓＳｕｂｆｒａｍｅＣｏｎｆｉｇｕｒａｔｉｏｎパラメータは、セルで端末がＳＲＳを伝送するサブフレームセット情報を表す。基地局は、ｓｒｓＳｕｂｆｒａｍｅＣｏｎｆｉｇｕｒａｔｉｏｎパラメータを端末にセル−特定（ｃｅｌｌ−ｓｐｅｃｉｆｉｃ）シグナリングで知らせるとよい。表７に示すように、基地局はｓｒｓＳｕｂｆｒａｍｅＣｏｎｆｉｇｕｒａｔｉｏｎパラメータを４ビットサイズ（ｓｃ０、ｓｃ１、ｓｃ２、ｓｃ３、ｓｃ４、ｓｃ５、ｓｃ６、ｓｃ７、ｓｃ８、ｓｃ９、ｓｃ１０、ｓｃ１１、ｓｃ１２、ｓｃ１３、ｓｃ１４、ｓｃ１５を指示）で端末にシグナリングできる。ｓｒｓＢａｎｄｗｉｄｔｈパラメータは端末のＳＲＳ伝送帯域幅を表し、ｆｒｅｑｕｅｎｃｙＤｏｍａｉｎＰｏｓｉｔｉｏｎパラメータは周波数領域の位置を表し、ＳｒｓＨｏｐｐｉｎｇＢａｎｄｗｉｄｔｈパラメータはＳＲＳ周波数ホッピングサイズを表し、ｄｕｒａｔｉｏｎパラメータは、一回のＳＲＳ伝送か或いは周期的ＳＲＳ伝送かを表し、ｓｒｓＣｏｎｆｉｇｕｒａｔｉｏｎＩｎｄｅｘパラメータは、ＳＲＳの周期性（Ｐｅｒｉｏｄｉｃｉｔｙ）及びサブフレームオフセット（例えば、フレームの最初のサブフレームから最初のＳＲＳが伝送されるサブフレームまでの時間単位を表す）を指示し、ｔｒａｎｓｍｉｓｓｉｏｎＣｏｍｂパラメータは、伝送ｃｏｍｂオフセットを表す。
【０１０８】
基地局は、ｓｒｓＢａｎｄｗｉｄｔｈＣｏｎｆｉｇｕｒａｔｉｏｎパラメータ及びｓｒｓＳｕｂｆｒａｍｅＣｏｎｆｉｇｕｒａｔｉｏｎパラメータをセル−特定シグナリングで端末に知らせるとよく、一方、ｓｒｓＢａｎｄｗｉｄｔｈパラメータ、ｆｒｅｑｕｅｎｃｙＤｏｍａｉｎＰｏｓｉｔｉｏｎパラメータ、ｓｒｓＨｏｐｐｉｎｇＢａｎｄｗｉｄｔｈパラメータ、ｄｕｒａｔｉｏｎパラメータ、ｓｒｓＣｏｎｆｉｇｕｒａｔｉｏｎＩｎｄｅｘパラメータ、ｔｒａｎｓｍｉｓｓｉｏｎＣｏｍｂパラメータを端末別に特定して端末−特定（ＵＥ−ｓｐｅｃｉｆｉｃ）シグナリングで知らせるとよい。
【０１０９】
３ＧＰＰ  ＬＴＥ  Ｒｅｌｅａｓｅ１０システムは、既存のシステムに比べてより適応的な（ａｄａｐｔｉｖｅ）アップリンクチャネル品質推定及び効率的なＳＲＳリソース使用のために非周期的（ａｐｅｒｉｏｄｉｃ）ＳＲＳ伝送を支援する。非周期的ＳＲＳ伝送のトリガリング（ｔｒｉｇｇｅｒｉｎｇ）方法については現在も議論中であり、一例として、基地局がＰＤＣＣＨ内のＤＬ／ＵＬ  ｇｒａｎｔによってトリガリングすることがある。すなわち、基地局が端末の非周期的ＳＲＳ伝送をトリガリングする非周期的ＳＲＳ伝送トリガリング指示子をＤＬ  ｇｒａｎｔ又はＵＬ  ｇｒａｎｔを用いて伝送したり、又は新しいメッセージフォーマットを定義して伝送したりする。
【０１１０】
ＬＴＥ−Ａシステムで導入したＣＡは、イントラバンド（Ｉｎｔｒａ  ｂａｎｄ）内でのみ或いはインターバンド（Ｉｎｔｅｒｂａｎｄ）のコンポーネントキャリア（ｃｏｍｐｏｎｅｎｔ  ｃａｒｒｉｅｒ）の組み合わせで構成可能である。従来ではＣＡ構成に関わらずアップリンク（ＵＬ）タイミングアドバンス（ｔｉｍｉｎｇ  ａｄｖａｎｃｅ、ＴＡ）は一つに設定されていた。しかし、インターバンド（ｉｎｔｅｒｂａｎｄ）間の周波数特性の違いから、一つに設定して使用することが難しい場合もある。また、これを反映して多重（ｍｕｌｔｉｐｌｅ）ＴＡグループ（ｇｒｏｕｐ）形態が支援される場合には、多重プライマリセル（ｍｕｌｔｉｐｌｅ  Ｐｒｉｍａｒｙ  ｃｅｌｌ（Ｐｃｅｌｌ））も可能になるだろう。
【０１１１】
従来では３ＧＰＰ  ＬＴＥシステムでのセル（ｃｅｌｌ）が任意の伝送周波数キャリア又はＦＡ（Ｆｒｅｑｕｅｎｃｙ  ａｌｌｏｃａｔｉｏｎ）単位で設定されるのに対し、ＬＴＥ−Ａシステムでは、任意の基地局内での伝送収率（ｔｈｒｏｕｇｈｐｕｔ）増大のために、複数個の伝送周波数キャリアを束ねて伝送する方法が支援される。後者は帯域幅拡張（ｂａｎｄｗｉｄｔｈ  ｅｘｔｅｎｓｉｏｎ）又はマルチプルコンポーネントキャリア（ｍｕｌｔｉｐｌｅ  ｃｏｍｐｏｎｅｎｔ  ｃａｒｒｉｅｒ（ＣＣ））アグリゲーションと上記で定義されたことがある。ＬＴＥシステムとは違い、ＬＴＥ−Ａシステムでは、任意のセル（ｃｅｌｌ）で複数個のＣＣを伝送リソースとして構成可能であり、個別端末（ＵＥ）別に固有にダウンリンク又はアップリンク伝送に使用する伝送周波数キャリアを設定可能となる。
【０１１２】
本発明では、ＬＴＥ−Ａシステムでのマルチプルコンポーネントキャリアアグリゲーション（ｍｕｌｔｉｐｌｅ  ＣＣ  ａｇｇｒｅｇａｔｉｏｎ）状況において、アップリンク伝送物理チャネル、すなわちＰＵＳＣＨ／ＰＵＣＣＨとアップリンク物理信号のうちＳＲＳを伝送する方法を提案する。また、従来のＣＡは、１つのタイミングアドバンス（Ｔｉｍｉｎｇ  ａｄｖａｎｃｅ、ＴＡ）技法を適用してＰＵＳＣＨ／ＰＵＣＣＨとＳＲＳの手順を定義したし、ＣＡにおいて互いに異なったＴＡ技法が適用される場合にはＳＲＳを頻繁にドロップ（ｄｒｏｐ）させ、これはシステム性能の低下を招く原因となってきた。そこで、このような問題点を解決するための様々な本発明の実施例を提案する。
【０１１３】
最大電力制限から、端末は、下記のような優先順位ベースのパワー割当を行えばよい。
【０１１４】
〈優先順位ベース〉
【０１１５】
ＰＵＳＣＨ／ｒａｔｅ−ｍａｔｃｈ  ＰＵＳＣＨ  ＞  ＳＲＳ
【０１１６】
ＰＵＳＣＨ／ｒａｔｅ−ｍａｔｃｈ  ＰＵＳＣＨ  ＜  ＳＲＳ
【０１１７】
ＰＵＳＣＨ／ｒａｔｅ−ｍａｔｃｈ  ＰＵＳＣＨ  ｗｉｔｈ  ＵＣＩ  ＞  ＳＲＳ
【０１１８】
ＰＵＣＣＨ／ｓｈｏｒｔｅｎｅｄ  ＰＵＣＣＨ  ＞ＳＲＳ
【０１１９】
ＰＵＣＣＨ／ｓｈｏｒｔｅｎｅｄ  ＰＵＣＣＨ  ＜  ＳＲＳ
【０１２０】
ＰＵＣＣＨ／  ｓｈｏｒｔｅｎｅｄ  ＰＵＣＣＨ＞ＰＵＳＣＨ／ｒａｔｅ−ｍａｔｃｈ
ＰＵＳＣＨ＞ＳＲＳ
【０１２１】
ＰＵＣＣＨ／  ｓｈｏｒｔｅｎｅｄ  ＰＵＣＣＨ＞  ＳＲＳ＞ＰＵＳＣＨ／ｒａｔｅ−ｍａｔｃｈ  ＰＵＳＣＨ
【０１２２】
ＰＵＣＣＨ／  ｓｈｏｒｔｅｎｅｄ  ＰＵＣＣＨ＞ＰＵＳＣＨ／ｒａｔｅ−ｍａｔｃｈ
ＰＵＳＣＨ  ｗｉｔｈ  ＵＣＩ＞ＳＲＳ  
【０１２３】
この優先順位ベースのパワー割当からわかるように、ＰＵＣＣＨ及びＰＵＳＣＨに比べてＳＲＳは最も低い優先順位でパワーが割り当てられる。
【０１２４】
図６は、ＣＡ状況で２個のＴＡを適用した場合にＳＲＳを伝送する方法を説明するための例示図である。
【０１２５】
図６を参照すると、ＴＡグループは、一つ以上のセルを含んでおり、同一のＴＡタイマー（ｔｉｍｅｒ）を使用している。
【０１２６】
実施例１（図６でＣａｓｅ  ２）
【０１２７】
図６に示すように、ＴＡグループ（ｇｒｏｕｐ）１のＰＵＳＣＨとＴＡグループ２のＳＲＳ（図６では「Ｓ」で表示）の伝送タイミングが同一のサブフレーム（例えば、ＳＦＮ１）内に重なる状況においてのＳＲＳ伝送方法について説明する。このような場合は、同一セルの同一サブフレームで伝送する場合、異なったセルの同一サブフレームで同時に複数個のチャネル、例えば、ＰＵＳＣＨとＳＲＳ、ＰＵＣＣＨとＳＲＳ、ＰＵＳＣＨとＰＵＣＣＨとＳＲＳを、それぞれ同時に伝送する場合を含むことがある。以下の実施例でも同一の概念が適用される。
【０１２８】
ＴＡグループ１でＰＵＳＣＨが、ＴＡグループ２でＳＲＳの伝送タイミングが重なる該当のサブフレームでは、ＳＲＳと重なるＰＵＳＣＨの該当ＳＣ−ＦＤＭＡシンボル（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）（或いは、ＤＦＴ−ＯＦＤＭＡ、ＯＦＤＭＡ、Ｃｌｕｓｔｅｒｅｄ  ＤＦＴｓ  ＯＦＤＭＡ、Ｃｌｕｓｔｅｒｅｄ  ＳＣ−ＦＤＭＡなどと様々に呼ばれてもよいが、以下ではＳＣ−ＦＤＭＡシンボルと総称する）をパンクチャリングしたり空にすることで、ＳＲＳが伝送されるようにすればよい。しかし、ＳＲＳと重なる該当ＳＣ−ＦＤＭＡシンボルがＤＭＲＳ（Ｄｅｍｏｄｕｌａｔｉｏｎ  Ｒｅｆｅｒｅｎｃｅ  Ｓｉｇｎａｌ）を含むシンボルであるならば、ＳＲＳをドロップ（ｄｒｏｐ）し、端末はＰＵＳＣＨのみを伝送する。
【０１２９】
一方、ＴＡグループ間にシンボルレベルで合わない場合（すなわち、ＰＵＳＣＨとＳＲＳとの重なる区間がシンボル単位で正確に合わない場合）には、ＳＲＳをドロップしてもよく、又はＳＲＳが跨る２つのシンボル両方をパンクチャリングしてもよい。
【０１３０】
実施例２（図６でＣａｓｅ１）
【０１３１】
ＴＡグループ１でレートマッチング（ｒａｔｅ−ｍａｔｃｈ）されたＰＵＳＣＨとＴＡグループ２のＳＲＳの伝送タイミングが該当サブフレーム（ＳＦＮ１）で重なる場合には、端末は、該当サブフレームでレートマッチングされたＰＵＳＣＨと重なるＳＲＳをドロップし、ＴＡグループ１でレートマッチングされたＰＵＳＣＨのみを伝送すればよい。
【０１３２】
実施例３（図６でＣａｓｅ３）
【０１３３】
図６に示すＣａｓｅ３のように、ＴＡグループ１のＰＵＣＣＨとＴＡグループ２のＳＲＳの伝送タイミングが該当サブフレーム（ＳＦＮ３）内で重なる場合を説明する。
【０１３４】
ＴＡグループ１のＰＵＣＣＨとＴＡグループ２のＳＲＳとが重なる区間がＳＣ−ＦＤＭＡシンボル単位で合う場合では、ＳＲＳと重なる該当ＳＣ−ＦＤＭＡシンボルをパンクチャリングしたり空にし、このパンクチャリングされたり空になった区間で端末はＴＡグループ２のＳＲＳを伝送すればよい。
【０１３５】
しかし、ＳＲＳと重なる該当ＳＣ−ＦＤＭＡシンボルが参照信号を含むシンボルであれば、端末はＳＲＳをドロップする。
【０１３６】
また、ＴＡグループ間にシンボルレベルで合わない場合、すなわち、ＴＡグループ１のＰＵＣＣＨとＴＡグループ２のＳＲＳとが重なる区間がＳＣ−ＦＤＭＡシンボル単位で合わない場合では、ＳＲＳをドロップしたり、又はＳＲＳが跨る２シンボル両方をパンクチャリングする。しかし、この場合にも、参照信号と重なる場合であれば、ＳＲＳをドロップする。
【０１３７】
実施例４（図６でＣａｓｅ４）
【０１３８】
ＴＡグループ１でＳｈｏｒｔｅｎｅｄ  ｆｏｒｍａｔを使用するＰＵＣＣＨ（すなわち、１シンボルを縮小したフォーマットを有するＰＵＣＣＨ）とＴＡグループ２のＳＲＳの伝送タイミングが同一サブフレーム（ＳＦＮ４）で重なる場合にＳＲＳを伝送する方法について説明する。
【０１３９】
この場合には、Ｓｈｏｒｔｅｎｅｄ  ｆｏｒｍａｔを使用するＰＵＣＣＨと重なるＳＲＳをドロップする。
【０１４０】
実施例５
【０１４１】
ＰＵＳＣＨ／レート−マッチ（ｒａｔｅ−ｍａｔｃｈ）されたＰＵＳＣＨ及び／又はＰＵＣＣＨとＳＲＳとが、互いに異なるセル（互いに異なるＴＡグループのセル或いは同一ＴＡグループ内のセル）で同時に伝送されるようにする。同一ＴＡグループの複数のセルでのＳＲＳ手順は、３ＧＰＰ  ＬＴＥ−Ａ  ｒｅｌ−１０の方法に従うことも、本明細書で提案した上記実施例の方法を適用することも可能である。
【０１４２】
実施例６
【０１４３】
上記実施例１乃至実施例５で提示された様々な場合及び条件において、端末は、ＳＲＳをドロップしたり、ＳＲＳとＰＵＣＣＨ又は／及びＰＵＳＣＨを互いに異なるＴＡグループで伝送可能である。
【０１４４】
このように、実施例１乃至実施例５においてＳＲＳとＰＵＣＣＨ又は／及びＰＵＳＣＨを同時に伝送可能な場合であっても、もしこれらを同時に伝送することで端末の最大電力制限（ｌｉｍｉｔ）を超えることになる場合であるならば、ＳＲＳをドロップすることを提案する。
【０１４５】
以上説明した本発明の様々な実施例によれば、ＳＲＳとＰＵＣＣＨ又は／及びＰＵＳＣＨを同時に伝送する状況において、端末の最大電力制限条件などの様々な状況に応じてＳＲＳを適宜ドロップ（ｄｒｏｐ）することによって効率的な通信が可能となる。
【０１４６】
以上説明してきた実施例は、本発明の構成要素及び特徴を所定形態に結合したものである。各構成要素又は特徴は、別の明示的な言及がない限り、選択的なものとして考慮しなければならない。各構成要素又は特徴は、他の構成要素や特徴と結合しない形態で実施することもでき、一部の構成要素及び／又は特徴を結合して本発明の実施例を構成することもできる。本発明の実施例で説明される動作の順序は変更可能である。ある実施例の一部構成や特徴は、別の実施例に含まれることもでき、別の実施例の対応する構成又は特徴に取って代わることもできる。特許請求の範囲において明示的な引用関係にない請求項を結合して実施例を構成したり、出願後の補正により新しい請求項として含めたりすることができることは明らかである。
【０１４７】
本発明は、本発明の精神及び必須特徴から逸脱することなく、他の特定の形態に具体化できる。そのため、上記の詳細な説明はいずれの面においても制約的に解釈してはならず、例示的なものとして考慮しなければならない。本発明の範囲は、添付した請求項の合理的解釈により定めなければならず、本発明の等価的範囲内における変更はいずれも本発明の範囲に含まれる。
【産業上の利用可能性】
【０１４８】
無線通信システムにおいて端末のサウンディング参照信号（Ｓｏｕｎｄｉｎｇ  Ｒｅｆｅｒｅｎｃｅ  Ｓｉｇｎａｌ、ＳＲＳ）伝送決定方法は３ＧＰＰ  ＬＴＥ、ＬＴＥ−Ａ、ＩＥＥＥ  ８０２などの様々な通信システムで産業上利用可能である。
【図１】
0005909293.tif 000038
【図２Ａ】
0005909293.tif 000039
【図２Ｂ】
0005909293.tif 000040
【図３Ａ】
0005909293.tif 000041
【図３Ｂ】
0005909293.tif 000042
【図４】
0005909293.tif 000043
【図５】
0005909293.tif 000044
【図６】
0005909293.tif 000045